(57)【要約】  イーサネット（登録商標）・ネットワークにおいてＳＤＨ／ＳＯＮＥＴ  ＯＡＭＰ規格機能性をサポートするために、イーサネット（登録商標）ＭＡＣ  ＯＡＭＰ制御副層を提供する。一実施形態によれば、イーサネット（登録商標）ＭＡＣ  ＯＡＭＰ制御フレームを処理するために、イーサネット（登録商標）ＭＡＣ  ＯＡＭＰ制御副層を提供する。このＭＡＣ  ＯＡＭＰ制御副層は、ＳＤＨ／ＳＯＮＥＴ  ＯＡＭＰ規格機能性を全て実装するために、ＭＡＣ  ＯＡＭＰクライアントに対するサポートを提供する。このＭＡＣ  ＯＡＭＰ制御フレームは、イーサネット（登録商標）・ネットワークに関するＳＤＨ／ＳＯＮＥＴ  ＯＡＭＰに対するサポートを提供する。このネットワーク機器は、これらＭＡＣ  ＯＡＭＰ制御フレームを用いて、様々なＯＡＭＰイベント、要求、性能パラメータ、通信チャンネル、保守、及びテスト機能性に関して、そのダウンストリーム及びアップストリームのネットワーク機器と通信する。【特許請求の範囲】
【請求項１】
媒体アクセス制御（ＭＡＣ）運用、管理、保守、及びプロビジョニング（ＯＡＭＰ）機能性をサポートするためのＭＡＣハードウェアデバイスであって、
ＯＡＭＰフレームを処理すると共にＯＡＭＰ状態を保守するためのＭＡＣ  ＯＡＭＰ制御副層と、
ＭＡＣオペレーションを実行するための複数のＭＡＣ副層を含む、ＭＡＣハードウェアデバイス。
【請求項２】
前記ＭＡＣ  ＯＡＭＰ制御副層が、ＯＡＭＰフレームの作成、修正、及び監視のうちの少なくとも１つを更に実行する、請求項１に記載のＭＡＣハードウェアデバイス。
【請求項３】
前記ＭＡＣ  ＯＡＭＰ制御副層が、管理、構成管理、性能評価、技術サポート、及び課金のうちの少なくとも１つの形式のＯＡＭＰ機能性に関するアーキテクチャを提供する、請求項１に記載のＭＡＣハードウェアデバイス。
【請求項４】
前記ＭＡＣ  ＯＡＭＰ制御副層が、警報、遠端障害、自動保護スイッチング、ループバック、性能監視、トレース信号、同期信号、ビット誤り率テスト、データ通信チャンネル、オーダーワイヤ、サービスレベル保証、及びＯＡＭＰオペレーションのうちの少なくとも１つの形式のＯＡＭＰ機能性をサポートする、請求項１に記載のＭＡＣハードウェアデバイス。
【請求項５】
前記ＭＡＣ  ＯＡＭＰ制御副層が、ウェーブ層、物理層、セクション層、ライン層、及びパス層のうちの少なくとも１つに関するエンド・ツー・エンドのＯＡＭＰ情報をサポートする、請求項１に記載のＭＡＣハードウェアデバイス。
【請求項６】
前記ＭＡＣ  ＯＡＭＰ制御副層が、イーサネット（登録商標）・ネットワークにおけるネットワーク機器（ＮＥ）機能性に基づいており、ウェーブ層、物理層、セクション層、ライン層、及びパス層のうちの少なくとも１つに関するＯＡＭＰ情報を終端するように構成される、請求項１に記載のＭＡＣハードウェアデバイス。
【請求項７】
前記ＭＡＣ  ＯＡＭＰ制御副層が、前記ＭＡＣ  ＯＡＭＰ制御副層によって終端した層と、前記終端した層より下位の全ての層とに関するＯＡＭＰ情報を処理する、請求項１に記載のＭＡＣハードウェアデバイス。
【請求項８】
前記ＭＡＣ  ＯＡＭＰ制御副層が、終端していない層に関するＯＡＭＰ情報を監視する、請求項１に記載のＭＡＣハードウェアデバイス。
【請求項９】
前記複数のＭＡＣ副層が、制御フレームを生成するためのＭＡＣ制御副層を少なくとも１つ更に含む、請求項１に記載のＭＡＣハードウェアデバイス。
【請求項１０】
ＭＡＣ制御層が、制御フレーム内のオプションのＶＬＡＮタグを処理する、請求項１に記載のＭＡＣハードウェアデバイス。
【請求項１１】
前記ＭＡＣ  ＯＡＭＰ制御副層を前記ＭＡＣハードウェアデバイスに実装する、請求項１に記載のＭＡＣハードウェアデバイス。
【請求項１２】
前記ＭＡＣ  ＯＡＭＰ制御副層が、ウェーブ層に対するＯＡＭＰをサポートする、請求項１に記載のＭＡＣハードウェアデバイス。
【請求項１３】
前記ＭＡＣ  ＯＡＭＰ制御副層が、物理層に対するＯＡＭＰをサポートする、請求項１に記載のＭＡＣハードウェアデバイス。
【請求項１４】
前記ＭＡＣ  ＯＡＭＰ制御副層が、セクション層に対するＯＡＭＰをサポートする、請求項１に記載のＭＡＣハードウェアデバイス。
【請求項１５】
前記ＭＡＣ  ＯＡＭＰ制御副層が、ライン層に対するＯＡＭＰをサポートする、請求項１に記載のＭＡＣハードウェアデバイス。
【請求項１６】
前記ＭＡＣ  ＯＡＭＰ制御副層が、パス層に対するＯＡＭＰをサポートする、請求項１に記載のＭＡＣハードウェアデバイス。
【請求項１７】
前記ＭＡＣ  ＯＡＭＰ制御副層が、リンクアグリゲーション副層によって構成された論理リンク／ラインに対するＯＡＭＰをサポートする、請求項１に記載のＭＡＣハードウェアデバイス。
【請求項１８】
前記ＭＡＣ  ＯＡＭＰ制御副層が、物理リンク／ラインに対するＯＡＭＰをサポートする、請求項１に記載のＭＡＣハードウェアデバイス。
【請求項１９】
前記ＭＡＣ  ＯＡＭＰ制御副層が、末端間ネットワーク層パスに対するＯＡＭＰをサポートする、請求項１に記載のＭＡＣハードウェアデバイス。
【請求項２０】
イーサネット（登録商標）スイッチ・デバイス及びイーサネット（登録商標）ＭＡＣデバイスのうちの少なくとも１つに前記複数のＭＡＣ副層を実装する、請求項１に記載のＭＡＣハードウェアデバイス。
【請求項２１】
前記ＭＡＣ  ＯＡＭＰ制御副層が、イーサネット（登録商標）ＭＡＣ  ＯＡＭＰ制御フレームを処理する、請求項１に記載のＭＡＣハードウェアデバイス。
【請求項２２】
前記ＭＡＣ  ＯＡＭＰ制御副層が、イーサネット（登録商標）ＭＡＣ  ＯＡＭＰ制御状態を保守する、請求項１に記載のＭＡＣハードウェアデバイス。
【請求項２３】
ＭＡＣ  ＯＡＭＰクライアントを起動するためにＯＡＭＰフレームを検出する場合、前記ＭＡＣ  ＯＡＭＰ制御副層が、割り込みを発生する、請求項１に記載のＭＡＣハードウェアデバイス。
【請求項２４】
ＭＡＣ  ＯＡＭＰクライアントを起動するためにＯＡＭＰ状態変化を検出する場合、前記ＭＡＣ  ＯＡＭＰ制御層が、割り込みを発生する、請求項１に記載のＭＡＣハードウェアデバイス。
【請求項２５】
前記ＭＡＣ  ＯＡＭＰ制御副層が、イーサネット（登録商標）ＭＡＣ  ＯＡＭＰクライアントと通信する、請求項１に記載のＭＡＣハードウェアデバイス。
【請求項２６】
前記ＭＡＣ  ＯＡＭＰ制御副層が、イーサネット（登録商標）ＭＡＣ  ＯＡＭＰ制御フレームに応答する、請求項１に記載のＭＡＣハードウェアデバイス。
【請求項２７】
前記ＭＡＣ  ＯＡＭＰ制御副層が、イーサネット（登録商標）ＰＨＹと通信する、請求項１に記載のＭＡＣハードウェアデバイス。
【請求項２８】
前記ＭＡＣ  ＯＡＭＰ制御副層が、受信したイーサネット（登録商標）ＭＡＣ  ＯＡＭＰ制御フレームに対するパススルーとして働く、請求項１に記載のＭＡＣハードウェアデバイス。
【請求項２９】
前記ＭＡＣ  ＯＡＭＰ制御副層が、受信したイーサネット（登録商標）ＭＡＣ  ＯＡＭＰ制御フレームを修正した後で再送信する、請求項１に記載のＭＡＣハードウェアデバイス。
【請求項３０】
復号器と、
ＭＡＣ  ＯＡＭＰクライアントを起動するためにポート／リンク故障を検出する場合に割り込みを発生する、少なくとも１つの物理副層を含む、イーサネット（登録商標）物理層（ＰＨＹ）ハードウェアデバイス。
【請求項３１】
復号器と、
ＭＡＣ  ＯＡＭＰ制御副層に信号を送るためにポート／リンク故障を検出する場合に信号を生成する、少なくとも１つの物理副層を含む、イーサネット（登録商標）物理層（ＰＨＹ）ハードウェアデバイス。
【請求項３２】
ＭＡＣハードウェアデバイス及びＰＨＹハードウェアデバイスにＯＡＭＰ機能性を提供する方法であって、
近端ネットワーク・ノードの第１リンクに沿って故障を検出することと、
ＭＡＣ  ＯＡＭＰクライアントを起動するためにポート／リンク故障を検出する場合に割り込みを発生する物理層と、
前記故障を修正するための第２リンクへのスイッチングを含む、方法。
【請求項３３】
前記方法が、イーサネット（登録商標）・プロトコル・ネットワークに回復機能性を提供するために約５０ミリ秒以内に実行する、請求項３２に記載の方法。
【請求項３４】
ＭＡＣハードウェアデバイス及びＰＨＹハードウェアデバイスにＯＡＭＰ機能性を提供する方法であって、
近端ネットワーク・ノードの第１リンクに沿って故障を検出することと、
ＭＡＣ  ＯＡＭＰ制御副層を起動するためにポート／リンク故障を検出する場合に信号を生成する物理層と、
前記故障を修正するための第２リンクへのスイッチングを含む、方法。
【請求項３５】
前記方法が、イーサネット（登録商標）・プロトコル・ネットワークに回復機能性を提供するために約５０ミリ秒以内に実行する、請求項３４に記載の方法。
【請求項３６】
ＭＡＣハードウェアデバイス及びＰＨＹハードウェアデバイスにＯＡＭＰ機能性を提供する方法であって、
近端ネットワーク・ノードのＯＡＭＰ制御フレームを検出することと、
ＭＡＣ  ＯＡＭＰクライアントを起動するためにスイッチオーバー基準を備えたＯＡＭＰ制御フレームを検出する場合に割り込みを発生するＭＡＣ制御副層と、
前記故障を修正するための第２リンクへのスイッチングを含む、方法。
【請求項３７】
前記スイッチオーバー基準が、信号損失ハード故障、信号障害ソフト故障、ＡＰＳスイッチオーバー要求、警報イベント、及び過度パスＢＥＲのうちの少なくとも１つを含む、請求項３６に記載の方法。
【請求項３８】
前記方法が、イーサネット（登録商標）・プロトコル・ネットワークに回復機能性を提供するために約５０ミリ秒以内に実行する、請求項３６に記載の方法。
【請求項３９】
ＭＡＣハードウェアデバイス及びＰＨＹハードウェアデバイスにＯＡＭＰ機能性を提供する方法であって、
近端ネットワーク・ノードのＯＡＭＰ制御フレームを検出することと、
ＭＡＣ  ＯＡＭＰ制御副層に信号を送るためにスイッチオーバー基準を備えたＯＡＭＰ制御フレームを検出する場合に割り込みを発生するＭＡＣ制御副層と、
前記故障を修正するための第２リンクへのスイッチングを含む、方法。
【請求項４０】
前記スイッチオーバー基準が、リンク／ライン・ハード信号損失ハード故障、信号障害ソフト故障、ＡＰＳスイッチオーバー要求、警報イベント、及び過度パスＢＥＲのうちの少なくとも１つを含む、請求項３９に記載の方法。
【請求項４１】
前記方法が、イーサネット（登録商標）・プロトコル・ネットワークに回復機能性を提供するために約５０ミリ秒以内に実行する、請求項３８に記載の方法。
【請求項４２】
ＭＡＣハードウェアデバイスにＯＡＭＰ機能性を提供する方法であって、
ＭＡＣ  ＯＡＭＰ制御フレーム・バッファーからのＯＡＭＰ情報を含んでいるＭＡＣ  ＯＡＭＰ制御フレームを受信する近端ＭＡＣ  ＯＡＭＰ制御副層と、
前記ＯＡＭＰ情報の受信を反映するためにＭＡＣ  ＯＡＭＰ状態ハードウェア・レジスタを更新する前記近端ＭＡＣ  ＯＡＭＰ制御副層と、
受信したＭＡＣ  ＯＡＭＰ制御フレームのためのマスク可能な割り込みを提供する前記ＭＡＣハードウェアと、
ＯＡＭＰクライアントを起動するために割り込みを発生する前記近端ＭＡＣ  ＯＡＭＰ制御副層と、
前記ＯＡＭＰ情報を処理する前記ＯＡＭＰクライアントと、
前記ＯＡＭＰ情報に基づいてＯＡＭＰ処置を講ずる前記ＯＡＭＰクライアントを含む、方法。
【請求項４３】
前記ＯＡＭＰ情報が、警報表示ステータス、遠端受信障害、自動保護スイッチング要求、ループバック要求、性能監視パラメータ、スイッチオーバー要求、サービスレベル保証、及びＯＡＭＰオペレーション情報のうちの少なくとも１つを含む、請求項４２に記載の方法。
【請求項４４】
警報イベントを受信次第、ダウンストリームのネットワーク機器に伝播する対応する層の警報表示信号（ＡＩＳ）を更に含む、請求項４２に記載の方法。
【請求項４５】
警報イベントを受信次第、アップストリームのネットワーク機器に伝播する対応する層の遠端受信障害（ＲＤＩ）を更に含む、請求項４２に記載の方法。
【請求項４６】
前記方法が、回復機能性を提供するために約５０ミリ秒以内に実行する、請求項４２に記載の方法。
【請求項４７】
パススルー機能性を提供するために、受信した前記ＭＡＣ  ＯＡＭＰ制御フレームを再送信することを更に含む、請求項４２に記載の方法。
【請求項４８】
前記受信したフレームを修正した後で、受信した前記ＭＡＣ  ＯＡＭＰ制御フレームを再送信することを更に含む、請求項４２に記載の方法。
【請求項４９】
ＭＡＣハードウェアデバイスにＯＡＭＰ機能性を提供する方法であって、
ＭＡＣ  ＯＡＭＰ制御フレーム・バッファーからのＯＡＭＰ情報を含んでいるＭＡＣ  ＯＡＭＰ制御フレームを受信する近端ＭＡＣ  ＯＡＭＰ制御副層と、
前記ＯＡＭＰ情報の受信を反映するためにＭＡＣ  ＯＡＭＰ状態ハードウェア・レジスタを更新する前記近端ＭＡＣ  ＯＡＭＰ制御副層と、
受信したＭＡＣ  ＯＡＭＰ制御フレームのためのマスク可能な割り込みを提供する前記ＭＡＣ  ＯＡＭＰ状態ハードウェア・レジスタと、
前記ＯＡＭＰ情報を処理する前記近端ＭＡＣ  ＯＡＭＰ制御副層と、
前記ＯＡＭＰ情報に基づいてＯＡＭＰ処置を講ずる前記ＭＡＣ  ＯＡＭＰ制御副層を含む、方法。
【請求項５０】
前記ＯＡＭＰ情報が、警報表示ステータス、遠端受信障害、自動保護スイッチング要求、ループバック要求、性能監視パラメータ、スイッチオーバー要求、サービスレベル保証、及びＯＡＭＰオペレーション情報のうちの少なくとも１つを含む、請求項４９に記載の方法。
【請求項５１】
警報イベントを受信次第、ダウンストリームのネットワーク機器に伝播する対応する層の警報表示信号（ＡＩＳ）を更に含む、請求項４９に記載の方法。
【請求項５２】
警報イベントを受信次第、アップストリームのネットワーク機器に伝播する対応する層の遠端受信障害（ＲＤＩ）を更に含む、請求項４９に記載の方法。
【請求項５３】
前記方法が、回復機能性を提供するために約５０ミリ秒以内に実行する、請求項４９に記載の方法。
【請求項５４】
パススルー機能性を提供するために、受信した前記ＭＡＣ  ＯＡＭＰ制御フレームを再送信することを更に含む、請求項４９に記載の方法。
【請求項５５】
受信した前記ＭＡＣ  ＯＡＭＰ制御フレームを修正した後で、受信した前記ＭＡＣ  ＯＡＭＰ制御フレームを再送信することを更に含む、請求項４９に記載の方法。
【請求項５６】
ＭＡＣハードウェアデバイスにＯＡＭＰ機能性を提供する方法であって、
送信するＯＡＭＰクライアント要求を受信する近端ＭＡＣ  ＯＡＭＰ制御副層と、
要求された制御パラメータを備えたＯＡＭＰ制御フレームを作成する前記近端ＭＡＣ  ＯＡＭＰ制御副層と、
前記ＯＡＭＰ制御フレームを送信する前記近端ＭＡＣ  ＯＡＭＰ制御副層を含む、方法。
【請求項５７】
前記ＯＡＭＰ制御パラメータが、警報表示ステータス、遠端受信障害、自動保護スイッチング要求、ループバック要求、性能監視パラメータ、スイッチオーバー要求、或いは他の様々なＯＡＭＰオペレーション情報のうちの少なくとも１つを含む、請求項５６に記載の方法。
【請求項５８】
前記方法が、回復機能性を提供するために約５０ミリ秒以内に実行する、請求項５６に記載の方法。
【請求項５９】
ＭＡＣ  ＯＡＭＰハードウェアデバイスにおいて、ＳＤＨ／ＳＯＮＥＴ  ＯＡＭＰシグナリングプロトコルをサポートするためのイーサネット（登録商標）ＭＡＣ  ＯＡＭＰ制御フレームであって、
標準のイーサネット（登録商標）・フレーム・プリアンブル・フィールドと、
標準のイーサネット（登録商標）・フレーム開始デリミタ・フィールドと、
標準のイーサネット（登録商標）宛先ＭＡＣアドレス・フィールドと、
標準のイーサネット（登録商標）送信元ＭＡＣアドレス・フィールドと、
オプションである標準のイーサネット（登録商標）ＶＬＡＮタグ・フィールドと、
標準のイーサネット（登録商標）・タイプ・フィールドと、
標準のイーサネット（登録商標）ＭＡＣ制御オペコード・フィールドと、
オペコード特定である複数の標準のイーサネット（登録商標）ＭＡＣ制御パラメータと、
標準のイーサネット（登録商標）・フレーム・チェック・シーケンス・フィールドを含む、イーサネット（登録商標）ＭＡＣ  ＯＡＭＰ制御フレーム。
【請求項６０】
前記イーサネット（登録商標）ＭＡＣ制御オペコードが、ウェーブ・フレームと、物理フレームと、セクション・フレームと、論理リンク／ライン・フレームと、物理リンク／ライン・フレームと、パスＯＡＭＰ制御フレームとを識別する能力を更に含む、請求項５９に記載のイーサネット（登録商標）ＭＡＣ  ＯＡＭＰ制御フレーム。
【請求項６１】
前記イーサネット（登録商標）ＭＡＣ制御オペコードが、ＯＡＭＰウェーブ・フレームと、物理フレームと、セクション・フレームと、論理リンク／ライン・フレームと、物理リンク／ライン・フレームと、パスＳＤＨ／ＳＯＮＥＴオーバーヘッド・バイト・フレームとを識別する能力を更に含む、請求項５９に記載のイーサネット（登録商標）ＭＡＣ  ＯＡＭＰ制御フレーム。
【請求項６２】
前記イーサネット（登録商標）ＭＡＣ制御フレームが、イーサネット（登録商標）・プロトコル・ネットワークにおけるＳＤＨ／ＳＯＮＥＴオーバーヘッド・バイト透過機能性をサポートする、請求項５９に記載のイーサネット（登録商標）ＭＡＣ  ＯＡＭＰ制御フレーム。
【請求項６３】
前記イーサネット（登録商標）ＭＡＣ制御オペコードが、警報表示信号（ＡＩＳ）、遠端受信障害（ＲＤＩ）、自動保護スイッチング（ＡＰＳ）、ループバック、及び性能監視（ＰＭ）のうちの少なくとも１つの形式のＯＡＭＰ機能分類の間で識別する能力を更に含む、請求項５９に記載のイーサネット（登録商標）ＭＡＣ  ＯＡＭＰ制御フレーム。
【請求項６４】
前記イーサネット（登録商標）ＭＡＣ制御オペコードが、ＡＩＳ−Ｌ、ＡＩＳ−Ｐ、ＲＤＩ−Ｌ、ＲＤＩ−Ｐ、ＡＰＳ、内部ループバック、及び設備ループバックのうちの少なくとも１つの形式のＯＡＭＰイベントの間で識別する能力を更に含む、請求項５９に記載のイーサネット（登録商標）ＭＡＣ  ＯＡＭＰ制御フレーム。
【請求項６５】
前記複数のイーサネット（登録商標）ＭＡＣ制御パラメータが、ウェーブ・フレームと、物理フレームと、セクション・フレームと、論理リンク／ライン・フレームと、物理リンク／ライン・フレームと、パスＯＡＭＰ状態と、パスＯＡＭＰ要求と、パスＯＡＭＰコマンドと、パスＯＡＭＰイベントと、パスＯＡＭＰ情報とを識別する能力を更に含む、請求項５９に記載のイーサネット（登録商標）ＭＡＣ  ＯＡＭＰ制御フレーム。
【請求項６６】
前記イーサネット（登録商標）ＭＡＣ制御パラメータが、イーサネット（登録商標）・プロトコル・ネットワーク上の標準のＳＤＨ／ＳＯＮＥＴオーバーヘッド・バイト値をサポートする、請求項５９に記載のイーサネット（登録商標）ＭＡＣ  ＯＡＭＰ制御フレーム。
【請求項６７】
イーサネット（登録商標）・プロトコル・ネットワークにＯＡＭＰ機能性を提供する方法であって、
第１ポート／リンクに沿って故障を経験する段階と、
割り込みを発生する段階と、
第１ポート／リンクから第２ポート／リンクへのスイッチを開始するＯＡＭＰクライアントへ前記割り込みを転送する段階を含む、方法。
【請求項６８】
前記方法が、回復機能性を提供するために約５０ミリ秒以内に実行する、請求項６７に記載の方法。
【請求項６９】
イーサネット（登録商標）・プロトコル・ネットワークにＯＡＭＰ機能性を提供する方法であって、
ＯＡＭＰ情報を備えたＯＡＭＰ制御フレームを受信する段階と、
前記ＯＡＭＰ制御フレームＯＡＭＰ情報を処理する段階と、
割り込みを発生する段階と、
受信した前記ＯＡＭＰ情報を処理するＯＡＭＰクライアントへ前記割り込みを転送する段階を含む、方法。
【請求項７０】
前記方法が、ＳＤＨ／ＳＯＮＥＴオーバーヘッド・バイト透過機能性をサポートする、請求項６９に記載の方法。
【請求項７１】
警報イベントを受信次第、ダウンストリームのネットワーク機器に伝播する対応する層の警報表示信号（ＡＩＳ）を更に含む、請求項６９に記載の方法。
【請求項７２】
警報イベントを受信次第、アップストリームのネットワーク機器に伝播する対応する層の遠端受信障害（ＲＤＩ）を更に含む、請求項６９に記載の方法。
【請求項７３】
前記方法が、回復機能性を提供するために約５０ミリ秒以内に実行する、請求項６９に記載の方法。
【請求項７４】
前記方法が、ＳＤＨ／ＳＯＮＥＴ  ＯＡＭＰシグナリングプロトコルに対するＳＤＨ／ＳＯＮＥＴ  ＳＯＨバイト、ＬＯＨバイト、及びＰＯＨバイトを用いて、イーサネット（登録商標）・プロトコル・ネットワーク用のリニア型接続、リング型接続、及びメッシュ型接続のうちの少なくとも１つに対する標準のＳＤＨ／ＳＯＮＥＴ  ＯＡＭＰ機能性に対するサポートを提供する、請求項６９に記載の方法。
【請求項７５】
前記方法が、イーサネット（登録商標）・プロトコル・ネットワーク用のリニア型接続、リング型接続、及びメッシュ型接続のうちの少なくとも１つに対するイーサネット（登録商標）ＯＡＭＰ機能性に対するサポートを提供する、請求項６９に記載の方法。
【請求項７６】
イーサネット（登録商標）・プロトコル・ネットワークにＯＡＭＰ機能性を提供する方法であって、
ＯＡＭＰクライアントからＯＡＭＰ要求を受信する段階と、
前記ＯＡＭＰ要求を備えたＯＡＭＰ制御フレームを作成する段階と、
前記ＯＡＭＰ制御フレームを送信する段階を含む、方法。
【請求項７７】
前記方法が、ＳＤＨ／ＳＯＮＥＴオーバーヘッド・バイト透過機能性をサポートする、請求項７６に記載の方法。
【請求項７８】
前記方法が、回復機能性を提供するために約５０ミリ秒以内に実行する、請求項７６に記載の方法。
【請求項７９】
前記方法が、ＳＤＨ／ＳＯＮＥＴ  ＯＡＭＰシグナリングプロトコルに対するＳＤＨ／ＳＯＮＥＴ  ＳＯＨバイト、ＬＯＨバイト、及びＰＯＨバイトを用いて、イーサネット（登録商標）・プロトコル・ネットワーク用のリニア型接続、リング型接続、及びメッシュ型接続のうちの少なくとも１つに対する標準のＳＤＨ／ＳＯＮＥＴ  ＯＡＭＰ機能性に対するサポートを提供する、請求項７６に記載の方法。
【請求項８０】
前記方法が、イーサネット（登録商標）・プロトコル・ネットワーク用のリニア型接続、リング型接続、及びメッシュ型接続のうちの少なくとも１つに対するイーサネット（登録商標）ＯＡＭＰ機能性に対するサポートを提供する、請求項７６に記載の方法。
【請求項８１】
イーサネット（登録商標）・プロトコル・ネットワークにＯＡＭＰ機能性を提供する方法であって、
ＭＡＣ  ＯＡＭＰ制御副層が、管理、構成管理、性能評価、技術サポート、及び課金のうちの少なくとも１つの形式のＯＡＭＰ機能性に関するアーキテクチャを提供する、方法。
【請求項８２】
イーサネット（登録商標）・プロトコル・ネットワークにＯＡＭＰ機能性を提供する方法であって、
ＭＡＣ  ＯＡＭＰ制御副層が、警報、遠端障害、自動保護スイッチング、ループバック、性能監視、トレース信号、同期信号、ビット誤り率テスト、データ通信チャンネル、オーダーワイヤ、サービスレベル保証、及びＯＡＭＰオペレーションのうちの少なくとも１つの形式のＯＡＭＰ機能性をサポートする、方法。
【発明の詳細な説明】
【関連出願】
【０００１】
本願は、本願に共通の全ての事柄に関して、２００３年１１月１３日付けで提出された米国特許出願１０／７１３，３８５号の優先権を主張する。前記特許出願の開示は、これによってその全体を参照して援用する。
【技術分野】
【０００２】
本発明は、一般にネットワーク・スイッチング・アーキテクチャに関し、更に具体的にはイーサネット（登録商標）・ネットワークにおけるＳＤＨ／ＳＯＮＥＴの運用、管理、保守、及びプロビジョニング（ＯＡＭ＆Ｐ）機能性のサポートに関する。
【背景技術】
【０００３】
ＳＤＨ／ＳＯＮＥＴ（同期デジタルハイアラーキ／同期光ファイバネットワーク）規格は、元は音声ネットワークで使用するために発展した。ＳＤＨは、北米で開発されたＳＯＮＥＴ規格と本質的に同じであるヨーロッパ版の規格である。ＳＤＨ／ＳＯＮＥＴは、コネクション指向型同期ＴＤＭ回線スイッチング技術を含む。このＳＤＨ／ＳＯＮＥＴで構成したネットワークは、同じクロックドメイン（例えば、主要なクロック参照までネットワークの全てのセクションをトレースできる）で動作する。このネットワークは、各回線に固定帯域幅タイムスロットを割り当てる。これらＳＤＨ／ＳＯＮＥＴアーキテクチャは、接続ベースのプロトコルであり、ここでは、物理回線配置が、末端間経路を確立するスイッチのポート間にある。ＳＤＨ／ＳＯＮＥＴネットワークを移動する信号のデジタル移行は、同じ速度で起きる。しかしながら、送信システムでの時間遅れ又はジッタによって起きる任意の２つの信号の移行間におけるフェーズ差があるかもしれない。
【０００４】
イーサネット（登録商標）は、主にデータネットワークとして発展した。ＳＤＨ／ＳＯＮＥＴとは対照的に、イーサネット（登録商標）は、コネクションレスで非同期の搬送波感知多重アクセス/衝突検出（ＣＳＭＡ／ＣＤ）パケット交換技術である。このイーサネット（登録商標）・アーキテクチャは、ＳＤＨ／ＳＯＮＥＴアーキテクチャのように１つのクロックドメインに依存することはない。イーサネット（登録商標）・アーキテクチャは、ネットワークを介して、データを含んでいる一連のパケットを送る。パケットを送る必要がある場合は常に、送信器は、パケットを送信しようとするはずである。更に、イーサネット（登録商標）・アーキテクチャは、コネクションレスであり、ここでは、論理又は物理回線を確立せずにパケットがネットワーク内でノードからノードまで移動する。「ブリッジング」と呼ばれるプロセスを通して、末端間経路を見つける。イーサネット（登録商標）は、基本的にローカルエリアネットワーキング（ＬＡＮ）技術である。
【０００５】
ＳＤＨ／ＳＯＮＥＴネットワークは、信頼でき保証された利用可能な帯域幅の低ジッタ接続を提供する。これらの特性は、音声品質ネットワークに必要となる。しかしながら、ＳＤＨ／ＳＯＮＥＴは、帯域幅が非能率的であり、他の多くのネットワーク・アーキテクチャよりオーバーヘッドが多い。対照的に、イーサネット（登録商標）・ネットワークは、より低い信頼度で最善の努力を尽くす配信と、低コスト帯域幅接続とを提供する。これらの特性は、データ品質ネットワークに適切である。イーサネット（登録商標）は、送信を保証せず、オーバーヘッドが少なく、またサポートするオペレーション機能がＳＤＨ／ＳＯＮＥＴより少ない。ＳＤＨ／ＳＯＮＥＴでは、一旦回線を確立すれば、帯域幅は、アプリケーションに割り当てられ、元のアプリケーションがその帯域幅を使用していなくても、他のアプリケーションによって使用することができない。イーサネット（登録商標）では、アプリケーションは、パケットを送信するために帯域幅を必要とする時にその帯域幅を使用するのみである。
【０００６】
ＳＤＨ／ＳＯＮＥＴネットワークでは、運用、管理、保守、及びプロビジョニング（ＯＡＭ＆Ｐ又はＯＡＭ）機能性が公知である。ＯＡＭ＆Ｐは、ＳＤＨ／ＳＯＮＥＴネットワークの全ての部分における日々のオペレーション及び障害検出の全ての局面に関係する。ＳＤＨ／ＳＯＮＥＴ規格は、それらの問題を検出して解決するためにＯＡＭ＆Ｐ手続きを定義する。これらには、構成問題、性能統計、ネットワーク管理、カスタマーサポート、問題トラッキング、性能評価、構成管理、技術サポート、及び課金を含むことができる。ＳＤＨ／ＳＯＮＥＴ規格は、ＯＡＭ＆Ｐ情報と警報とコマンドとを搬送するために、ＳＤＨ／ＳＯＮＥＴフレーム構造のオーバーヘッドビットを定義すると共に、広範囲な性能統計及び監視情報を定義する。
【０００７】
ＳＤＨネットワークでは、３セットのＳＤＨオーバーヘッド・オクテット／バイトがＯＡＭ機能を実行する。これらは、パス、多重セクション、及びリジェネレータ・セクションオーバーヘッド・オクテットである。ＳＤＨセクションオーバーヘッド（ＳＯＨ）バイトは、リジェネレーション・セクションオーバーヘッド（ＲＳＯＨ）と、多重セクションオーバーヘッド（ＭＳＯＨ）とに分類される。このＲＳＯＨは、リジェネレータ機能で終端する。このＭＳＯＨは、リジェネレータを透過してパススルーし、管理ユニット・グループ（ＡＵＧ−Ｎ）を組立・分解する場所で終端する。ＳＤＨパスオーバーヘッド（ＰＯＨ）バイトは、仮想コンテナ（ＶＣ）の組立点とその分解点との間における通信の完全性を提供する。仮想コンテナＰＯＨの２つのカテゴリーを識別している。高次仮想コンテナＰＯＨと、低次仮想コンテナとである。
【０００８】
ＳＯＮＥＴネットワークでは、３セットのＳＯＮＥＴオーバーヘッド・オクテット／バイトがＯＡＭ＆Ｐ機能を実行する。パス、ライン、及びセクションオーバーヘッド・バイトがある。ＳＯＮＥＴトランスポート・オーバーヘッド（ＴＯＨ）バイトは、セクションオーバーヘッド（ＳＯＨ）と、ラインオーバーヘッド（ＬＯＨ）とに分類される。このＳＯＨは、セクション層機能で終端する。このＬＯＨは、セクション層を透過してパススルーし、ＳＯＮＥＴ（ＳＰＥ）ペイロードを組立・分解する場所で終端する。ＳＯＮＥＴパスオーバーヘッド（ＰＯＨ）は、エンド・ツー・エンドのＯＡＭ＆Ｐ機能を提供する。このＰＯＨは、変化することなくＳＯＮＥＴライン、セクション、及び物理層を通過する。ＳＯＮＥＴ転送信号（ＳＴＳ）パス及び仮想トリビュタリ（ＶＴ）低速パスレベルに対してＳＯＮＥＴ  ＰＯＨバイトを定義する。ＳＯＮＥＴ物理層は、トランスポート層であり、それに関連したオーバーヘッドを備えていない。
【０００９】
ＳＤＨ及びＳＯＮＥＴの規格は、機能性において類似しているが、用語が異なる。これら２つの規格の用語のマッピングは、本業界で周知である。
【００１０】
音声ネットワークでは、ＳＤＨ／ＳＯＮＥＴ  ＯＡＭＰ規格の機能性は、管理、構成問題、性能統計、ネットワーク管理、カスタマーサポート、問題トラッキング、性能評価、構成管理、技術サポート、及び課金に関するアーキテクチャを提供する。データネットワークが搬送オペレーション要件をサポート可能となるためには、このデータネットワークが、同レベルのＯＡＭＰサポートを提供できなければならない。イーサネット（登録商標）は、最も一般的なデータネットワーク・データリンク層プロトコルである。ＯＡＭＰ機能性を提供するためのイーサネット（登録商標）規格は無い。
【００１１】
イーサネット（登録商標）・ネットワークでは、幾つかのワーキンググループが、イーサネット（登録商標）におけるＯＡＭＰサポートの様々なレベル及び形式をサポートするためにイーサネット（登録商標）規格を定義しようと努めている。
【００１２】
ファーストマイル・イーサネット（登録商標）サポートのみ扱う、ＩＥＥＥ  ８０２．３ａｈイーサネット（登録商標）・ファーストマイル（ＥＭＦ）ＯＡＭグループは、討議中の２つの提案を行っている。１つの提案は、「低速プロトコル」ＭＡＣフレームを用いて、単一のイーサネット（登録商標）・リンクに対する制限されたＯＡＭ機能性をサポートすることである。別の提案は、物理層で全てのイーサネット（登録商標）・フレームの前に追加のＯＡＭフィールドを加えることである。
【００１３】
更に、メトロ・イーサネット（登録商標）・フォーラム（ＭＥＦ）グループは、ＭＰＬＳプロトコルを用いてＯＡＭをサポートする提案を行っている。この予備提案は、特定のＶＬＡＮタグを備えたユーザ／データ・イーサネット（登録商標）・パケットを用いて、ＭＥＦイーサネット（登録商標）ＯＡＭ情報を定義することを勧めている。
【００１４】
更に、ＩＴＵ−Ｔ  Ｑ．３  ＳＧ１３は、イーサネット（登録商標）・ネットワークにおけるＯＡＭをサポートする様々なオプションを研究している。更に、それは、ＥＦＭと共に研究している。それは、これまでのところ要件を定義しただけである。
【００１５】
上述の技術の殆どは、イーサネット（登録商標）に関する限られた機能性を解決する。典型的には、それらは、限られたＯＡＭＰ機能性のみサポートし、更に、例えばリンク故障警報及び小さなセットの性能監視統計といった、イーサネット（登録商標）・リンクに制限されている。それらは、ＳＤＨ／ＳＯＮＥＴ  ＯＡＭＰ規格によって定義されるような能力のサブセットだけを扱う。既存のＳＤＨ／ＳＯＮＥＴネットワークにおいて使用されるものと同じ技法を用いることで、ＳＤＨ／ＳＯＮＥＴ及びイーサネット（登録商標）・ネットワークの両方のより容易な移行及び共存が可能になる。１つのネットワーク管理は、透過して両方のネットワークをサポートでき、ネットワーク・オペレーターに新しいオペレーション方法を再度訓練する必要がない。
【００１６】
発明の概要
ＳＤＨ／ＳＯＮＥＴ  ＯＡＭＰ規格によって定義されるような、イーサネット（登録商標）・ネットワークにおけるＯＡＭＰ機能性に関して、本発明の分野でニーズがある。本発明は、このニーズに対処する更なる解決策を対象とする。更に、本発明は、例えばサービスレベル管理（ＳＬＡ）などといった、ＳＤＨ／ＳＯＮＥＴ規格によって定義されない追加のＯＡＭＰ機能性をサポートできる。
【００１７】
本発明の一実施形態によれば、媒体アクセス制御（ＭＡＣ）運用、管理、保守、及びプロビジョニング（ＯＡＭＰ）機能性をサポートするためのＭＡＣハードウェアは、ＭＡＣ  ＯＡＭＰ制御副層及び複数のＭＡＣ副層を備える。
【００１８】
本発明の様態の例によれば、イーサネット（登録商標）・アーキテクチャは、ウェーブ、物理、セクション、ライン、及びパス層を含むことができる。イーサネット（登録商標）・ネットワークにおけるネットワーク機器（ＮＥ）機能性によっては、ＮＥは、それが終端する層と、この層より下位の全ての層に関するＯＡＭＰ情報を全て処理できる。更に、ＮＥは、それが終端していない層に関するＯＡＭＰ情報を監視できる。
【００１９】
本発明の様態の例によれば、複数のＭＡＣ副層は、更にリンクアグリゲーション副層を含む。これら複数のＭＡＣ副層は、更に少なくとも１つのＭＡＣ  ＯＡＭＰ制御副層を含むことができる。このＭＡＣ  ＯＡＭＰ制御副層をＭＡＣ内に置くことができる。ＭＡＣ制御層は、制御フレーム内のオプションのＶＬＡＮタグを処理できる。このＭＡＣ  ＯＡＭＰ制御副層をＭＡＣハードウェアに実装できる。ＭＡＣ  ＯＡＭＰ制御副層は、ＭＡＣを使用しているネットワーク機器の環境に基づいて、ウェーブ、物理、セクション、ライン、及びパスＯＡＭＰ機能をサポートする。ＭＡＣ  ＯＡＭＰ制御副層は、リンクアグリゲーション副層によって構成された論理リンクに対するＯＡＭＰをサポートする。ＭＡＣ  ＯＡＭＰ制御副層は、物理リンクに対するＯＡＭＰをサポートする。ＭＡＣ  ＯＡＭＰ制御副層は、ネットワーク層パスに対するＯＡＭＰをサポートする。イーサネット（登録商標）スイッチ・デバイス及びイーサネット（登録商標）ＭＡＣデバイスのうちの少なくとも１つにＭＡＣ副層を実装できる。このＭＡＣ  ＯＡＭＰ制御副層は、イーサネット（登録商標）ＭＡＣ  ＯＡＭＰ制御フレームを処理する。ＭＡＣ  ＯＡＭＰ制御副層は、イーサネット（登録商標）ＭＡＣ  ＯＡＭＰ制御状態を保守する。
【００２０】
本発明の更なる様態によれば、イーサネット（登録商標）ＮＥの環境に基づいて、ＭＡＣ  ＯＡＭＰ制御副層は、対応するウェーブ、物理、セクション、ライン、及びパスＭＡＣ  ＯＡＭＰ制御フレームとそれらの情報とを作成でき、修正でき、且つ監視できる。これらオーバーヘッド・バイトを用いて、ＮＥとイーサネット（登録商標）ＭＡＣ  ＯＡＭＰ層との間において信号を送る。これらＯＡＭＰ信号を障害隔離のために使用でき、且つ是正処置を講ずることができる。ＭＡＣ  ＯＡＭＰ制御副層は、警報表示信号、遠端受信障害、自動保護スイッチング、ループバック、性能監視、トレース信号、同期信号、ビット誤り率テスト、データ通信チャンネル、オーダーワイヤ、及び他の様々なＯＡＭＰオペレーションに対するサポートを提供する。ＭＡＣ  ＯＡＭＰ制御副層を用いて、メッシュ型及びリング型接続におけるＯＡＭＰ機能をサポートできる。ＭＡＣ  ＯＡＭＰ制御副層を用いて、ＯＡＭＰ制御フレームに対するパススルーモードをサポートできる。更に、ＭＡＣ  ＯＡＭＰ制御副層は、例えばサービスレベル管理（ＳＬＡ）などといった、ＳＤＨ／ＳＯＮＥＴ規格によって定義されない追加のＯＡＭＰ機能性をサポートできる。
【００２１】
本発明の更なる様態によれば、ＭＡＣ  ＯＡＭＰクライアントを起動するためにＯＡＭＰフレームを検出する場合、ＭＡＣ  ＯＡＭＰ制御副層は、割り込みを発生する。ＭＡＣ  ＯＡＭＰクライアントを起動するためにＯＡＭＰ状態変化を検出する場合、ＭＡＣ  ＯＡＭＰ制御副層は、割り込みを発生する。ＭＡＣ  ＯＡＭＰ制御副層は、イーサネット（登録商標）ＭＡＣ  ＯＡＭＰクライアントと相互に作用する。更に、適切な警報を受信する場合には、ＭＡＣ  ＯＡＭＰ制御副層は、保護スイッチングを構成する場合にスイッチオーバーを引き起こすために、物理層又はＭＡＣ副層又は他のＡＰＳデバイスに信号を送ることができる。ＭＡＣ  ＯＡＭＰクライアントは、ＯＡＭＰの状態を管理すると共に、様々なエラー、ＯＡＭＰイベント、或いはコマンドに反応する。ＭＡＣクライアントは、更に性能統計、監視、及び他の様々なオペレーション機能を保守できる。ソフトウェア及び／又はハードウェア層にＭＡＣ  ＯＡＭＰクライアントを実装できる。
【００２２】
本発明の別の様態によれば、イーサネット（登録商標）ＰＨＹハードウェアデバイスは、少なくとも１つの物理副層を含む。ＭＡＣ  ＯＡＭＰクライアントを起動するために、ポート／リンク故障を検出する場合、この少なくとも１つの物理副層のうちの１つは、割り込みを発生する。保護スイッチオーバーをサポートするために、冗長化モードで２つ以上の物理副層を構成できる。この少なくとも１つの物理副層のうちの１つは、例えばある予め定められ構成された閾値より大きなビット誤り率といった、ソフト故障に関するステータスを保守する。
【００２３】
本発明の別の様態によれば、ＳＤＨ／ＳＯＮＥＴ  ＯＡＭＰシグナリングプロトコルをサポートするためのイーサネット（登録商標）ＭＡＣ  ＯＡＭＰ制御フレームは、標準のイーサネット（登録商標）・フレーム・プリアンブル・フィールドを含む。ＭＡＣ  ＯＡＭＰ制御フレームの更なる要素には、標準のイーサネット（登録商標）・フレーム開始デリミタ・フィールド、標準のイーサネット（登録商標）宛先ＭＡＣアドレス・フィールド、標準のイーサネット（登録商標）送信元ＭＡＣアドレス・フィールド、オプションである標準のイーサネット（登録商標）ＶＬＡＮタグ・フィールド、標準のイーサネット（登録商標）・タイプ・フィールド、標準のイーサネット（登録商標）ＭＡＣ制御オペコード・フィールド、オペコード特定である複数の標準のイーサネット（登録商標）ＭＡＣ制御パラメータ、及び標準のイーサネット（登録商標）・フレーム・チェック・シーケンス・フィールドが含まれる。
【００２４】
本発明の更なる様態によれば、イーサネット（登録商標）ＭＡＣ制御オペコード・フィールドには、更にウェーブ、物理、セクション、論理リンク／ライン、物理リンク／ライン、及びパスＯＡＭＰ要求及びレスポンスを識別する能力が含まれる。加えて、複数のイーサネット（登録商標）ＭＡＣ制御パラメータには、更にＯＡＭＰフィールド、ポートＩＤフィールド、スロットＩＤフィールド、シャーシＩＤフィールド、ブリッジＩＤフィールド、ノードＩＤ／ＩＰフィールド、及びゼロ又はそれ以上のオクテットのゼロ値を含む予約フィールドが含まれる。
【００２５】
本発明の更なる様態によれば、ウェーブ、物理、セクション、ライン（物理及び論理）、及びパス・フレームに基づいて、イーサネット（登録商標）ＭＡＣ  ＯＡＭＰ制御フレーム・オペコード・フィールドを定義できる。制御パラメータ・フィールドは、対応する層のための標準のＳＤＨ／ＳＯＮＥＴオーバーヘッド・バイトを含むことができる。追加のイーサネット（登録商標）特定ＭＡＣ  ＯＡＭＰ制御フレーム・オペコード・フィールド及び制御パラメータを定義できる。
【００２６】
本発明の更なる様態によれば、ＯＡＭＰ機能分類に基づいて、イーサネット（登録商標）ＭＡＣ  ＯＡＭＰ制御フレーム・オペコード・フィールド及び制御パラメータ・フィールドを定義できる。警報表示信号（ＡＩＳ）、遠端受信障害（ＲＤＩ）、自動保護スイッチング、ループバック、性能監視（ＰＭ）、トレース、同期、ビット誤り率テスト（ＢＥＲＴ）などといった、ＳＤＨ／ＳＯＮＥＴ規格に記載されるような機能に対して、オペコードを定義できる。この制御パラメータ・フィールドは、機能のステータスを示すためにＳＤＨ／ＳＯＮＥＴ規格値を使用できる。
【００２７】
本発明の更なる様態によれば、ＯＡＭＰイベントに個々に基づいて、イーサネット（登録商標）ＭＡＣ制御フレーム・オペコード・フィールド及び制御パラメータ・フィールドを定義できる。例えば、ＡＩＳ−Ｌ、ＡＩＳ−Ｐ、ＲＤＩ−Ｌ、ＲＤＩ−Ｐ、ＡＰＳ、装置故障、及び遠端性能監視パラメータなどといったイベントの宣言及びクリアに対して、オペコードを定義できる。
【００２８】
本発明の更なる様態によれば、前もって定義した実施形態の組み合わせによって、イーサネット（登録商標）ＭＡＣ制御フレームを定義できる。
【００２９】
本発明の更なる様態によれば、イーサネット（登録商標）ＭＡＣクライアントは、少なくとも１つのＭＡＣクライアントを含む。このＭＡＣクライアントは、スイッチに対するネットワーク層プロトコル及びフォワーディング機能のうちの少なくとも１つを含む。このＭＡＣクライアントは、更に少なくとも１つのＭＡＣ  ＯＡＭＰ制御クライアントを含むことができる。
【００３０】
本発明の別の様態によれば、ＭＡＣハードウェア及びＰＨＹハードウェアにＯＡＭＰ機能性を提供する方法は、近端ネットワーク・ノードの第１リンクに沿って故障を検出することを含む。物理層は、ＭＡＣ  ＯＡＭＰ制御副層への信号を生成する。このＭＡＣ  ＯＡＭＰ制御副層は、検出された故障に反応でき、且つ必要応答時間内に適切なＯＡＭＰレスポンスで応答できる。これら処置は、保護が構成される場合には、５０ミリ秒以内に警報信号をアップストリーム及びダウンストリームへ、及び／又はスイッチオーバーへ送ることを含むことができる。
【００３１】
本発明の別の様態によれば、ＭＡＣハードウェア及びＰＨＹハードウェアにＯＡＭＰ機能性を提供する方法は、近端ネットワーク・ノードの第１リンクに沿って故障を検出することを含む。ＭＡＣ  ＯＡＭＰクライアントを起動するために、ポート／リンク故障を検出する場合、物理層は、割り込みを発生する。このＭＡＣ  ＯＡＭＰクライアントは、検出された故障に反応でき、且つ必要応答時間内に適切なＯＡＭＰレスポンスで応答できる。これら処置は、保護が構成される場合には、５０ミリ秒以内に警報信号をアップストリーム及びダウンストリームへ、及び／又はスイッチオーバーへ送ることを含むことができる。
【００３２】
本発明の別の様態によれば、ＭＡＣハードウェアにＯＡＭＰ機能性及びＭＡＣ  ＯＡＭＰ制御副層を提供する方法は、ネットワーク機器内のＭＡＣハードウェアの構成された終端層によっては、ＯＡＭＰ制御フレームの監視及び／又は処理を含む。ＯＡＭＰ機能及び／又はパススルー構成に基づいて、このＯＡＭＰ制御フレームを再送信できるか、若しくはパススルーできる。
【００３３】
本発明の別の様態によれば、ＭＡＣハードウェアデバイスにＯＡＭＰ機能性を提供する方法は、ＭＡＣ  ＯＡＭＰ制御フレーム・バッファーからのＯＡＭＰ情報を含んでいるＭＡＣ  ＯＡＭＰ制御フレームを受信する近端ＭＡＣ  ＯＡＭＰ制御副層を含む。この近端ＭＡＣ  ＯＡＭＰ制御副層は、このＯＡＭＰ情報の受信を反映するために、ＭＡＣ  ＯＡＭＰ状態ハードウェア・レジスタを更新する。このＭＡＣ  ＯＡＭＰハードウェアは、受信したＭＡＣ  ＯＡＭＰ制御フレームのためのマスク可能な割り込みを提供する。この近端ＭＡＣ  ＯＡＭＰ制御副層は、ＯＡＭＰクライアントを起動するために割り込みを発生する。このＯＡＭＰクライアントは、このＯＡＭＰ情報を処理する。このＯＡＭＰ情報は、警報表示、遠端受信障害、ループバック要求、性能監視パラメータ、スイッチオーバー要求、或いは他の様々なＯＡＭＰオペレーション情報のうちの少なくとも１つを含むことができる。この方法は、回復機能性を提供するために５０ミリ秒以内に実行できる。更に、このＭＡＣ  ＯＡＭＰ制御副層は、これら受信したＯＡＭＰ制御フレームに応答できる。
【００３４】
本発明の別の様態によれば、ＭＡＣハードウェアデバイスにＯＡＭＰ機能性を提供する方法は、送信するＯＡＭＰクライアント要求を受信する近端ＭＡＣ  ＯＡＭＰ制御副層を含む。このＭＡＣ  ＯＡＭＰ制御副層は、要求された制御パラメータを備えたＯＡＭＰ制御フレームを作成する。この近端ＭＡＣ  ＯＡＭＰ制御副層は、このＭＡＣ  ＯＡＭＰ制御フレームを送信する。このＯＡＭＰクライアント要求は、ＯＡＭＰシグナリングプロトコルを使用する、ＯＡＭＰ要求及びＯＡＭＰ管理要求のうちの少なくとも１つを含むことができる。このＯＡＭＰクライアント要求は、更に警報表示、遠端受信障害、ループバック要求、性能監視パラメータ、スイッチオーバー要求、或いは他の様々なＯＡＭＰオペレーション情報のうちの少なくとも１つを含むことができる。この方法は、回復機能性を提供するために５０ミリ秒以内に実行できる。更に、このＭＡＣ  ＯＡＭＰ制御副層は、これらＯＡＭＰ制御フレームを送信できるか、若しくはパススルーできる。
【００３５】
本発明の別の様態によれば、イーサネット（登録商標）・プロトコル・ネットワークにＯＡＭＰ機能性を提供する方法は、第１ポート／リンクに沿って故障を経験することを含む。割り込みが発生する。この割り込みをＭＡＣ  ＯＡＭＰクライアントへ転送する。このＭＡＣ  ＯＡＭＰクライアント又はＭＡＣ  ＯＡＭＰ制御副層は、第１ポート／リンクから第２ポート／リンクへのスイッチを開始できる。この方法は、回復機能性を提供するために５０ミリ秒以内に実行できる。
【００３６】
本発明の別の様態によれば、ＯＡＭＰ制御フレームによってダウンストリームのネットワーク機器にＯＡＭＰ警報表示信号（ＡＩＳ）を提供する方法を提供する。イベントを検出する層に基づいて、適切なＯＡＭＰウェーブ、物理、セクション、ライン、及び／又はパス制御フレームを生成する。
【００３７】
本発明の別の様態によれば、ＯＡＭＰ制御フレームによってアップストリームのネットワーク機器にＯＡＭＰ遠端受信障害（ＲＤＩ）信号を提供する方法を提供する。イベントを検出する層に基づいて、適切なＯＡＭＰウェーブ、物理、セクション、ライン、及び／又はパス制御フレームを生成する。
【００３８】
本発明の別の様態によれば、ＯＡＭＰ制御フレームによってＯＡＭＰループバック要求を提供する方法を提供する。
【００３９】
本発明の別の様態によれば、ＯＡＭＰ性能監視情報ＯＡＭＰ制御フレームを提供する方法を提供する。
【発明を実施するための最良の形態】
【００４０】
本発明の例示的な実施形態は、イーサネット（登録商標）・アーキテクチャ内の標準のＳＤＨ／ＳＯＮＥＴ  ＯＡＭ／ＯＡＭＰ機能性の実装に関連する。このイーサネット（登録商標）・アーキテクチャ内のＳＤＨ／ＳＯＮＥＴ  ＯＡＭＰ機能性をサポートするために、本発明は、イーサネット（登録商標）ＭＡＣ制御副層を拡張する。このイーサネット（登録商標）ＭＡＣ制御副層は、データリンク層（本明細書で後述する第２層）の副層である。このＭＡＣ制御副層は、ＭＡＣ（媒体アクセス制御、これは、共有或いは専用の通信チャンネルへのアクセスを交渉する際に利用される構成要素又はアルゴリズムである）と、そのＭＡＣのクライアント（このクライアントは、典型的にはネットワーク層プロトコル、或いはブリッジ又はスイッチによって実装した中継機能である）との間に存在する。ＭＡＣのクライアントは、このＭＡＣ制御副層を用いて、イーサネット（登録商標）ＭＡＣのオペレーションを制御できる。ＭＡＣ制御副層の実装は、イーサネット（登録商標）規格下においてオプションである。更に、本発明は、例えばサービスレベル管理（ＳＬＡ）などといった、ＳＤＨ／ＳＯＮＥＴ規格によって定義されない追加のＯＡＭＰ機能性をサポートできる。
【００４１】
本発明の様態は、イーサネット（登録商標）ＭＡＣ  ＯＡＭＰ制御プロトコルを含み、このプロトコルを用いてイーサネット（登録商標）ＭＡＣ  ＯＡＭＰをサポートできる。このイーサネット（登録商標）ＭＡＣ  ＯＡＭＰ制御プロトコルは、イーサネット（登録商標）ＭＡＣマルチキャスト又はユニキャスト・アドレスを利用するためのＭＡＣ制御副層と、ＯＡＭＰ機能をサポートするためのＭＡＣ制御オペコードとを拡張する。このＭＡＣ  ＯＡＭＰ機能は、全二重イーサネット（登録商標）・リンクのＳＤＨ／ＳＯＮＥＴ  ＯＡＭＰを実装する。更に、共有イーサネット（登録商標）・リンクのためにこのＭＡＣ  ＯＡＭＰ機能性を適切に拡張できる。ＭＡＣ  ＯＡＭＰフレームは、ＳＤＨ／ＳＯＮＥＴ  ＯＡＭＰ規格に記載されるようなオーバーヘッド・バイト／オクテットを含む。このＭＡＣ  ＯＡＭＰは、更に既知のＳＤＨ／ＳＯＮＥＴ  ＯＡＭＰと同様の方法でオペレーションを行う。ＯＡＭＰクライアントは、イーサネット（登録商標）ＭＡＣ  ＯＡＭＰ制御副層に対するクライアントでありえる。このＯＡＭＰクライアントは、本発明の様態に従って提供されるイーサネット（登録商標）ＭＡＣ  ＯＡＭＰインフラを用いて、標準のＯＡＭＰ機能性を実装する。
【００４２】
図３乃至９は、類似部分を類似の参照番号で全体にわたって示し、本発明に従って、イーサネット（登録商標）環境でＳＤＨ／ＳＯＮＥＴ  ＯＡＭＰを実装する方法の実施形態を示す。図に示した実施形態に関して本発明を説明するが、多くの代替形態によって本発明を具体化できると解釈するべきである。通常の技能を備えた当業者であれば、本発明の精神及び範囲になお従った方法で、例えば要素又は部材のサイズ、形、或いは種類といった、開示した実施形態のパラメータを変更する様々な方法を更に認識するはずである。
【００４３】
本明細書に記載の例示的な実施形態のオペレーションを認識するためには、開放型システム間相互接続（ＯＳＩ）ネットワーク階層を理解することが有用であり、このＯＳＩネットワーク階層は、ネットワークが幾つかの階層構造の層から構成されるとみなす。この階層では、第１層は、ネットワーク内で信号の送信を行う要素を含む物理層である。第２層は、データリンク層であり、第１層の基礎の物理チャンネルを通る、デバイス間の直接通信を可能にするサービスを提供する。第３層は、ネットワーク層であり、多数のデータリンク上のステーションからステーションへのデータ配信の役割を果たす。このネットワーク層は、ネットワーク中のパケットのルーティングの役割を果たす。第４層は、トランスポート層であり、プロセスによってネットワーク上のステーション間の通信を処理することを可能にする、エラーなしでシーケンスになった配信保証のメッセージ・サービスを提供する。第５層は、セッション層であり、アプリケーション間の通信の確立を扱う。この層は、セキュリティ・アプリケーションに役立つ。第６層は、プレゼンテーション層であり、ローカルのデータ表現の様々な方法を用いるネットワークシステム間のデータの共有を可能にする。最後に、第７層は、アプリケーション層である。この層は、例えば電子メール及びファイル転送能力などといった、汎用アプリケーション機能を提供する。
【００４４】
ＳＤＨ／ＳＯＮＥＴでは、ＯＡＭＰは、管理、構成問題、性能統計、ネットワーク管理、カスタマーサポート、問題トラッキング、性能評価、構成管理、技術サポート、及び課金に関するアーキテクチャを提供する。
【００４５】
図１Ａ及び１Ｂは、従来のＳＯＮＥＴ及びＳＤＨアーキテクチャ層を示す。このＳＯＮＥＴアーキテクチャは、図１Ａで示したような４つの層から成る。これらの層は、ＯＳＩ−ＲＭネットワーキング階層に記載される層とは異なる抽象化である。
【００４６】
物理層１１２Ａ、１２２Ａ、１３２Ａ、１４２Ａ、１５２Ａ、及び１６２Ａは、物理媒体１７２Ａを通るビットのトランスポートを扱う。どのオーバーヘッドもこの層には関係しない。この主要な機能は、電気分野の（ＳＴＳ）フレームを光分野の（ＯＣ）ビット信号に変換することである。
【００４７】
セクション層１１４Ａ、１２４Ａ、１３４Ａ、１４４Ａ、１５４Ａ、及び１６４Ａは、送信リンクのリジェネレータ・セクションである。入力断のため、送信したビットをほぼ等間隔でリジェネレーションしなければならない。この信号は、この時点で終端しない。リジェネレータ１１０Ａと１２０Ａとの間の全てのセグメント１７４Ａは、ＳＯＮＥＴネットワークにセクションを構成する。セクション層１１４Ａ、１２４Ａ、１３４Ａ、１４４Ａ、１５４Ａ、及び１６４Ａは、物理層１１２Ａ、１２２Ａ、１３２Ａ、１４２Ａ、１５２Ａ、及び１６２Ａを通るＳＴＳフレームのトランスポートを管理する。この層の機能には、セクション層オーバーヘッドの、セクション・エラー監視、フレーミング、信号スクランブリング、及びトランスポートが含まれる。セクション終端装置（ＳＴＥ）１１０Ａ及び１２０Ａによって、このセクションオーバーヘッド（ＳＯＨ）を解釈すると共に監視するか若しくは作成する。
【００４８】
ライン層１３６Ａ、１４６Ａ、１５６Ａ、及び１６６Ａは、物理媒体１７２Ａを通る、ＳＴＳフレームのシーケンスに組み込まれたＳＯＮＥＴペイロード全体のトランスポートを管理する。下位層のリジェネレータを含む単一のＳＯＮＥＴスパン１７６Ａ即ちリンクによって、２つのＳＯＮＥＴネットワーク機器（ＮＥ）１３０Ａと１４０Ａとを接続する。ライン層１３６Ａ、１４６Ａ、１５６Ａ、及び１６６Ａは、多重化及び同期の機能を含み、両方ともＳＯＮＥＴペイロードの作成及び監視に必要である。ラインオーバーヘッド（ＬＯＨ）を用いて、保守及び保護の機能を提供する。回線終端装置（ＬＴＥ）１３０Ａ及び１４０Ａによって、このＬＯＨを解釈すると共に修正するか若しくは作成する。
【００４９】
パス層１５８Ａ及び１６８Ａは、ＳＯＮＥＴ多重端局装置１５０Ａと１６０Ａとの間の様々なペイロードの末端間経路１７８Ａ送信を扱う。パス層１５８Ａ及び１６８Ａは、パスオーバーヘッド（ＰＯＨ）によって末端間で通信する。パス終端装置（ＰＴＥ）１５０Ａ及び１６０Ａによって、このＰＯＨを解釈すると共に修正するか若しくは作成する。
【００５０】
全ての層は、同じ層のピア装置に水平に通信する。各層は、いくらかの情報を処理し、それを隣接した層へ垂直に渡す。全ての層へのアクセスを全てのＳＯＮＥＴ  ＮＥにおいて必要とはしない。ＳＯＮＥＴ  ＮＥは、終端しない層のオーバーヘッドを監視してもよい。
【００５１】
ＳＤＨアーキテクチャは、図１Ｂに示したような４つの層から成る。ＳＤＨ層は、上述したようなＳＯＮＥＴ層に類似するが、異なる用語を使用する。物理層１１２Ｂ、１２２Ｂ、１３２Ｂ、１４２Ｂ、１５２Ｂ、及び１６２Ｂは、ＳＯＮＥＴ物理層に類似する。リジェネレータ・セクション層１１４Ｂ、１２４Ｂ、１３４Ｂ、１４４Ｂ、１５４Ｂ、及び１６４Ｂは、ＳＯＮＥＴセクション層に類似する。多重セクション層１３６Ｂ、１４６Ｂ、１５６Ｂ、及び１６６Ｂは、ＳＯＮＥＴライン層に類似する。パス層１５８Ｂ及び１６８Ｂは、ＳＯＮＥＴパス層に類似する。物理媒体１７２Ｂは、物理層を接続する。リジェネレータ・セクション１７４Ｂ即ちスパンは、リジェネレータ・セクション層間の論理接続を構成する。多重セクション１７６Ｂ即ちラインは、多重セクション層間の論理接続を構成する。パス１７８Ｂは、パス層間の論理接続を構成する。
【００５２】
ＯＡＭＰ手続き用に、パス、セクション、及びラインレベルでＳＤＨ／ＳＯＮＥＴオーバーヘッド・バイト／オクテットを使用する。数バイトは、受信する障害検出用のＳＤＨ／ＳＯＮＥＴ機器によって絶えず監視され、また、他のバイトは、これらのエラーに対して修正し補正するために使用される。
【００５３】
図２Ａ及び２Ｂは、従来のＳＯＮＥＴ及びＳＤＨフレーム構造と、関連するオーバーヘッド・バイトとを示す。図２Ａは、ＳＯＮＥＴフレーム２００Ａが、セクションオーバーヘッド（ＳＯＨ）２０２Ａ、ラインオーバーヘッド（ＬＯＨ）２０４Ａ、及びＳＴＳ−１ペイロード・エンベロープ（ＳＰＥ）２０８Ａから成り、これがパスオーバーヘッド（ＰＯＨ）２０６Ａを含んでいることを示す。図２Ｂは、ＳＤＨフレーム２００Ｂが、リジェネレータ・セクションオーバーヘッド（ＲＳＯＨ）２０２Ｂ、多重セクションオーバーヘッド（ＭＳＯＨ）２０４Ｂ、及びＳＴＭ−１ペイロード２０８Ｂから成り、これがパスオーバーヘッド（ＰＯＨ）２０６Ｂ及びＡＵ−ｎポインタ２１０Ｂを含んでいることを示す。
【００５４】
ＳＤＨ／ＳＯＮＥＴ規格は、フレーム及びオーバーヘッドの、フォーマット及びバイトを指定する。ＯＡＭＰに直接関係するセクションオーバーヘッド（ＳＯＨ）バイトは、Ａ１／Ａ２フレーミングバイト、Ｄ１、Ｄ２、及びＤ３直接通信チャンネル（ＤＣＣ）バイト、及びＨ１／Ｈ２ポインタ・バイト（ＳＤＨではＡＵ−ｎポインタ・バイト）である。
【００５５】
ＯＡＭＰに直接関係するラインオーバーヘッド（ＬＯＨ）バイトは、Ｋ１｜Ｋ２自動保護スイッチング（ＡＰＳ）バイト、Ｄ４乃至Ｄ１２  ＤＣＣバイト、Ｓ１同期バイト、及びＭ０／Ｍ１／Ｚ２／ＲＥＩ−Ｌバイトである。
【００５６】
ＯＡＭＰに直接関係するパスオーバーヘッド（ＰＯＨ）バイトは、Ｃ２信号パス・バイト及びＧ２パス・ステータス・バイトである。
【００５７】
仮想トリビュタリ（ＶＴ）レベルＳＯＮＥＴパスと、管理ユニット（ＡＵ）、トリビュタリ・ユニット（ＴＵ）、仮想コンテナ（ＶＣ）、及びコンテナ（Ｃ）ＳＤＨパスレベルとに組み込まれた、同様の監視機能及び警報条件がある。更に、ＳＯＮＥＴ  ＳＴＳ−１又はＳＤＨ  ＳＴＭ−１のオーバーヘッド・バイトに類似する本発明において、これらをサポートできる。
【００５８】
本発明は、イーサネット（登録商標）環境においてＳＤＨ／ＳＯＮＥＴ  ＯＡＭＰ機能性をサポートできる。しかしながら、本発明を明瞭に説明するために、本明細書に含まれる説明にＳＤＨ用語ではなくＳＯＮＥＴ用語を用いて、ネットワークについて説明し、ＯＡＭＰ機能性を実装する。通常の技能を備えた当業者であれば、ＳＤＨ機能性及び用語が、ＯＡＭＰ機能性を実装する本発明の範囲内であることを認識するはずである。
【００５９】
図３は、本発明によって定義されるようなイーサネット（登録商標）・アーキテクチャ層を示す。このイーサネット（登録商標）・アーキテクチャは、５つの層から成る。これらの層は、ＯＳＩ−ＲＭネットワーキング階層に記載される層とは異なる抽象化である。
【００６０】
イーサネット（登録商標）環境では、物理層３１２、３２２、３３２、３４２、３５２、及び３６２即ちＰＨＹプロトコルは、物理媒体３７２を通るデータ送信のための、電気シグナリング符号（原語：electrical signaling symbols）、ライン状態、クロッキング要件、データの符号化、及びコネクタを定義する。リピータ又はリジェネレータ３１０及び３２０は、ＯＳＩ第１層デバイスであり、信号を復号化せずに再送信するのみである。従って、従来のイーサネット（登録商標）規格におけるリピータは、ＭＡＣを備えておらず、また、受信及び送信ポートのＰＨＹは、そのデータを扱うのみである。このＰＨＹ内の副層は、リンクの通信信頼性を無くす障害を検出できる。このＰＨＹは、ローカル又は遠隔のリンク故障に関してＭＡＣに信号を送ることができる。このリンク故障を用いて、信号損失（ＳＦ）を宣言できる。更に、このＰＨＹは、ＭＡＣへフレーム・チェック・シーケンス（ＦＣＳ）エラーを表示する。これらの状態を用いて、信号劣化（ＳＤ）状態を宣言できる。イーサネット（登録商標）・リンク故障（ＬＦ）状態は、ＳＤＨ／ＳＯＮＥＴ入力断（ＬＯＳ）状態に相当する。イーサネット（登録商標）ＦＣＳエラーは、ＳＤＨ／ＳＯＮＥＴ  ＢＩＰ−８（Ｂ２）エラーに相当する。
【００６１】
イーサネット（登録商標）・リピータは、典型的には多数のセグメントを接続してより大きなセグメントにするために用いられ、また、これは、共有媒体である。イーサネット（登録商標）リジェネレータは、２つのイーサネット（登録商標）・セグメントを接続するのみのイーサネット（登録商標）・リピータとして定義される。イーサネット（登録商標）リジェネレータは、典型的にはネットワークの範囲を拡張するために用いられるはずであり、また、これは、共有媒体ではない。
【００６２】
セクション層３１４、３２４、３３４、３４４、３５４、及び３６４は、送信リンクのリピータ・セクションである。入力断のため、送信されたビットをほぼ等間隔で中継或いはリジェネレーションしなければならない。この信号は、この時点で終端しない。リジェネレータ３１０と３２０との間の全てのセグメント３７４は、イーサネット（登録商標）・ネットワークにセクションを構成する。セクション層３１４、３２４、３３４、３４４、３５４、及び３６４は、物理層３１２、３２２、３３２、３４２、３５２、及び３６２を通るセクションレベルＯＡＭＰ制御フレームのトランスポートを管理する。この層の機能には、セクション層オーバーヘッドの、セクション・エラー監視、セクションレベルＯＡＭＰフレーミング、及びトランスポートが含まれる。セクションレベルＯＡＭＰ制御フレームは、セクションオーバーヘッド・バイトを含む。セクション終端装置（ＳＴＥ）３１０及び３２０によって、このセクションオーバーヘッド（ＳＯＨ）を解釈すると共に監視するか若しくは作成する。
【００６３】
ライン層３３６、３４６、３５６、及び３６６は、物理媒体３７２を通るラインレベルＯＡＭＰ制御フレームのトランスポートを管理する。下位層のリピータ又はリジェネレータを含む、単一のイーサネット（登録商標）・スパン３７６即ちリンクによって、２つのイーサネット（登録商標）・ネットワーク機器（ＮＥ）３３０と３４０とを接続する。ライン層３３６、３４６、３５６、及び３６６の機能は、ラインレベルＯＡＭＰ制御フレームの作成及び監視を含む。このラインレベルＯＡＭＰ制御フレームは、ラインオーバーヘッド・バイトを含む。ラインオーバーヘッド（ＬＯＨ）を用いて、保守及び保護の機能を提供する。回線終端装置（ＬＴＥ）３３０及び３４０によって、このＬＯＨを解釈すると共に修正するか若しくは作成する。
【００６４】
パス層３５８及び３６８は、イーサネット（登録商標）スイッチング装置３５０と３６０との間の様々なパスレベルＯＡＭＰ制御フレームの末端間経路３７８送信を扱う。これらパスレベルＯＡＭＰ制御フレームは、パスオーバーヘッド・バイトを含む。パス層３５８及び３６８は、パスオーバーヘッド（ＰＯＨ）によって末端間で通信する。パス終端装置（ＰＴＥ）３５０及び３６０によって、このＰＯＨを解釈すると共に修正するか若しくは作成する。
【００６５】
更に、最近のネットワークの殆どは、異なる波長を用いて単一の物理媒体３７２上の幾つかの物理層接続を多重化できると共に透過してトランスポートできる波長分割多重（ＷＤＭ）装置を備える。本発明では、ウェーブ層３０２は、ウェーブレベルＯＡＭＰ制御フレームを管理し、これにはウェーブレベルＯＡＭＰ制御フレームの作成及び監視が含まれる。このウェーブレベルＯＡＭＰ制御フレームは、ウェーブオーバーヘッド・バイトを含む。このウェーブオーバーヘッド（ＷＯＨ）を用いて、ウェーブに対する保守及び保護の機能を提供する。ウェーブ終端装置（ＷＴＥ）３００によって、このＷＯＨを解釈すると共に修正するか若しくは作成する。現在、ウェーブ層に関する規格は無い。ウェーブ層がＳＴＥ、ＬＴＥ及びＰＴＥ  ＮＥに統合されるようになる場合は、このウェーブ層は、更にそれらのＮＥで処理されることとなり、またそれらのＮＥの物理層より下位の層としてアーキテクチャ上に示されることとなる。
【００６６】
ＯＡＭＰをサポートするためには、イーサネット（登録商標）・リピータ、リジェネレータ、及びＷＤＭ装置は、適切なＯＡＭＰレベルサポートと共に、イーサネット（登録商標）ＭＡＣを使用する必要があるであろう。全二重リピータは、基本的なＭＡＣ機能を備える。同様に、標準のイーサネット（登録商標）・リピータ、リジェネレータ、及びＷＤＭ装置は、基本的なＭＡＣ機能を用いてＯＡＭＰ機能を監視でき、且つサポートできる。
【００６７】
全ての層は、その層のピア装置に水平に通信し、いくらかの情報を処理し、その情報を隣接した層へ垂直に渡す。全ての層へのアクセスを全てのイーサネット（登録商標）ＮＥにおいて必要とはしない。ＮＥは、終端しない層のオーバーヘッドを監視してもよい。
【００６８】
本発明は、ウェーブ、物理、セクション、ライン、及びパスレベルＯＡＭＰ機能をサポートできる。本発明は、リング型及びメッシュ型接続に対するＯＡＭＰ機能をサポートできる。適切な送信元及び宛先イーサネット（登録商標）ＭＡＣアドレスを提供することによって、本発明のアーキテクチャは、パスレベルＯＡＭＰサポートを更にサポートできる。
【００６９】
図４は、イーサネット（登録商標）ＭＡＣ  ＯＡＭＰ制御アーキテクチャを示す。ＭＡＣクライアント（つまり上位層）４０１は、例えば、ＩＰといったスイッチに対するネットワーク層プロトコル、又はスイッチに対するフォワーディング機能でありえる。図示した実施形態では、このＭＡＣクライアント４０１は、更にＯＡＭＰクライアント機能性を実装する。ＭＡＣクライアント４０１の中のＯＡＭＰクライアントは、ＯＡＭＰの状態を管理すると共に、様々なエラー、ＯＡＭＰイベント、或いはコマンドに反応する。このＭＡＣクライアント４０１は、性能統計及び監視を保守する。このＭＡＣクライアント４０１は、更に他の様々なオペレーション機能に対するサポートを提供できる。ソフトウェア及び／又はハードウェア層にこのＭＡＣ  ＯＡＭＰクライアントを実装できる。
【００７０】
ＭＡＣ  ＯＡＭＰ制御副層４１０は、リンクアグリゲーション副層４０３によって構成された論理リンクに対するＯＡＭＰ機能をサポートする。ＭＡＣ  ＡＰＳ制御副層４０２は、このリンクアグリゲーション副層４０３によって構成された論理リンクに対するＡＰＳをサポートする。このリンクアグリゲーション副層４０３は、複数の物理リンクを１つの集約されたリンクに集約できる。集約されたリンクは、論理リンクの一形式である。ＭＡＣ  ＯＡＭＰ制御副層４２０Ａ、４２０Ｂ、及び４２０Ｃは、物理リンクに対するＯＡＭＰをサポートする。加えて、ＭＡＣ  ＡＰＳ制御副層４０４Ａ、４０４Ｂ、及び４０４Ｃは、物理リンクに対するＡＰＳをサポートする。標準のＭＡＣ制御副層４０５Ａ、４０５Ｂ、及び４０５Ｃは、例えばＰＡＵＳＥフレームといった、現在定義されているＭＡＣ制御フレーム全てをサポートする。この制御フレームは、スイッチが入力バッファー過負荷によってデータ・フレームを不必要に捨てることを防ぐ。全てのＭＡＣ  ＯＡＭＰ制御副層４１０、４２０Ａ、４２０Ｂ、及び４２０Ｃは、オプションである。全てのＭＡＣ  ＡＰＳ制御副層４０２、４０４Ａ、４０４Ｂ、及び４０４Ｃは、オプションである。これらＭＡＣ制御副層４０５Ａ、４０５Ｂ、及び４０５Ｃは、全てオプションである。標準のＭＡＣ副層４０６Ａ、４０６Ｂ、及び４０６Ｃは、媒体へのアクセスを制御する。標準のＰＨＹ副層４０７Ａ、４０７Ｂ、及び４０７Ｃは、送信媒体に対する物理層信号を生成する。
【００７１】
イーサネット（登録商標）ＮＥの環境（ＷＴＥ、ＳＴＥ、ＬＴＥ、ＰＴＥ）に基づいて、ＭＡＣ  ＯＡＭＰ制御副層４１０、４２０Ａ、４２０Ｂ、及び４２０Ｃは、対応するウェーブ４１８、物理４１９、セクション４１６、ライン４１４、及びパス４１２ＭＡＣ  ＯＡＭＰ制御フレームを、或いはこれら制御フレーム内の対応する情報を作成でき、修正でき、且つ監視できる。
【００７２】
イーサネット（登録商標）ＭＡＣ  ＯＡＭＰウェーブ、物理、セクション、ライン、パスＯＡＭＰ及び他の幾つかのＯＡＭＰ機能に関して、イーサネット（登録商標）ＭＡＣ  ＯＡＭＰは、オーバーヘッド・バイトの作成、修正、及び監視のサポートを必要とする。これらオーバーヘッド・バイトを用いて、ＮＥとイーサネット（登録商標）ＭＡＣ  ＯＡＭＰ層との間において信号を送る。これらＯＡＭＰ信号を障害隔離のために使用でき、且つ是正処置を講ずることができる。
【００７３】
ＭＡＣ制御副層は、イーサネット（登録商標）によるＳＤＨ／ＳＯＮＥＴ  ＯＡＭＰシグナリングプロトコルのサポートを可能にすることによって、ＯＡＭＰ機能性を提供するために拡張する。このＭＡＣ制御副層は、更にＭＡＣ制御フレームに対するＶＬＡＮタグのオプションのサポートを提供するために拡張する。本発明の様態は、図４に示したように、イーサネット（登録商標）ＭＡＣ  ＯＡＭＰ制御副層４１０、４２０Ａ、４２０Ｂ、及び４２０Ｃを導入する。これらイーサネット（登録商標）ＭＡＣ  ＯＡＭＰ制御副層４１０、４２０Ａ、４２０Ｂ、及び４２０Ｃは、イーサネット（登録商標）ＭＡＣ  ＯＡＭＰ制御フレームを含んでおり、これは、公知のＳＤＨ／ＳＯＮＥＴ規格内のオーバーヘッド・バイトの定義に従ってオーバーヘッド・バイトを含んでいる。まさにＳＤＨ／ＳＯＮＥＴ規格によって定義したとおりに、若しくはまさにイーサネット（登録商標）ＯＡＭＰ要件に一層便利であるように定義したとおりに、これらバイトを送信できる。ＭＡＣ  ＯＡＭＰ制御副層４１０は、リンクアグリゲーション副層４０３（論理ネットワーク・インターフェイス層）及び／又は物理ネットワーク・インターフェイス層４０４Ａ、４０４Ｂ、及び４０４ＣでＭＡＣ  ＯＡＭＰをサポートできる。同じ物理ハードウェアを用いてＭＡＣ  ＯＡＭＰ副層４１０、４２０Ａ、４２０Ｂ、及び４２０Ｃに対するＯＡＭＰシグナリングプロトコルを処理できることに注目するべきである。同じ物理ハードウェアを用いてＭＡＣ  ＡＰＳ副層４０２、４０４Ａ、４０４Ｂ、及び４０３Ｃに対するＡＰＳシグナリングプロトコルを処理できることに注目するべきである。これら全てをＭＡＣ制御副層物理ハードウェアと一緒に実装できる。
【００７４】
更に、ＭＡＣ  ＯＡＭＰ制御副層４１０、４２０Ａ、４２０Ｂ、及び４２０Ｃは、例えば、自動保護スイッチング、ループバック、性能監視、トレース信号、同期信号、ビット誤り率テスト（ＢＥＲＴ）、データ通信チャンネル（ＤＣＣ）、及びオーダーワイヤ（ＯＷ）などといった、他の様々なオペレーション機能に対するサポートを提供する。更に、ＭＡＣ  ＯＡＭＰ制御副層は、例えばサービスレベル管理（ＳＬＡ）などといった、ＳＤＨ／ＳＯＮＥＴ規格によって定義されない追加のＯＡＭＰ機能性をサポートできる。
【００７５】
ＯＡＭＰシグナリングプロトコルに関して、フレーミングを修正するか若しくはフレーム間隔時間を使用することによって、フレーミングプロセスでのＳＤＨ／ＳＯＮＥＴのように物理層（第１層）でイーサネット（登録商標）のＯＡＭＰを実装できるか、若しくは本発明の分野で公知のＰＡＵＳＥ機能又はリンクアグリゲーション機能のようにイーサネット（登録商標）ＭＡＣ制御副層にイーサネット（登録商標）のＯＡＭＰを実装できる。ＯＡＭＰが物理層にあるので、ラインＯＡＭＰ機能性のみをサポートできる。ＯＡＭＰを実装するためにイーサネット（登録商標）・フレーミングを修正することは、後方互換性がないであろうし、しかもエンドユーザ及び本業界による標準化が困難であろう。更に、送るデータがある場合にイーサネット（登録商標）・フレームを送信するだけなので、イーサネット（登録商標）・フレーミングの修正は、部分的な解決策にすぎない。送るデータが無い場合は、ＯＡＭＰ信号を運ぶイーサネット（登録商標）・フレームは無い。反対に、ＳＤＨ／ＳＯＮＥＴでは、連続的にフレームを生成する（データがあろうが、アイドルであろうが）。従って、イーサネット（登録商標）ＭＡＣ制御副層でＯＡＭＰを実装することによって、ＯＡＭＰシグナリングは、普通のイーサネット（登録商標）方法でイベント駆動及びパケット駆動になることができる。
【００７６】
図５は、イーサネット（登録商標）ＭＡＣ  ＯＡＭＰ制御副層内部アーキテクチャを示す。この場合も、ＭＡＣクライアント（つまり上位層）５０６は、ＩＰといったスイッチに対するネットワーク層プロトコル、又はスイッチに対するフォワーディング機能でありえる。図示した実施形態では、このＭＡＣクライアント５０６は、この場合も、ＭＡＣ  ＯＡＭＰクライアントＯＡＭＰ機能性を実装する。このＭＡＣ  ＯＡＭＰクライアント５０５は、ＯＡＭＰの状態を管理すると共に、様々なエラー、ＯＡＭＰイベント、或いはコマンドに反応する。このＭＡＣ  ＯＡＭＰクライアント５０５は、性能統計及び監視を保守する。このＭＡＣ  ＯＡＭＰクライアント５０５は、更に例えば、ループバック、パス信号、同期信号、ビット誤り率テスト（ＢＥＲＴ）、ＤＣＣ、オーダーワイヤ（ＯＷ）などといった、他の様々なオペレーション機能に対するサポートを提供できる。ソフトウェア又はハードウェア層にこのＭＡＣ  ＯＡＭＰクライアント５０５を実装できる。
【００７７】
ＭＡＣ  ＯＡＭＰ制御副層５１８は、リンクアグリゲーション副層５０４によって構成された論理リンクに対するＯＡＭＰをサポートする。ＭＡＣ  ＡＰＳ制御副層５１２は、リンクアグリゲーション副層５０４によって構成された論理リンクに対するＡＰＳをサポートする。このリンクアグリゲーション副層５０４は、多くの物理リンクを１つの集約されたリンクに集約できる。ＭＡＣ  ＯＡＭＰ制御副層５０１は、物理リンクに対するＯＡＭＰをサポートする。ＭＡＣ  ＡＰＳ制御副層５０２は、物理リンクに対するＡＰＳをサポートする。標準のＭＡＣ制御副層５０７は、例えばＰＡＵＳＥフレームといった、現在定義されているＭＡＣ制御フレーム全てをサポートする。これらＭＡＣ制御副層は、全てオプションである。標準のＭＡＣ副層５０８は、媒体へのアクセスを制御する。標準のＰＨＹ副層５０３は、送信媒体に対する物理層信号を生成する。
【００７８】
イーサネット（登録商標）ＮＥの環境（ＷＴＥ、ＳＴＥ、ＬＴＥ、ＰＴＥ）に基づいて、ＭＡＣ  ＯＡＭＰ制御副層５０１及び５１８は、対応するウェーブ、物理、セクション、ライン、及びパスＭＡＣ  ＯＡＭＰ制御フレームを、或いはこれら制御フレーム内の対応する情報を作成でき、修正でき、且つ監視できる。
【００７９】
ＭＡＣ  ＯＡＭＰ制御副層５０１は、ＭＡＣ  ＯＡＭＰ制御オペレーション５０１Ａを含み、このＭＡＣ  ＯＡＭＰ制御オペレーション５０１Ａは、ＭＡＣ  ＯＡＭＰ制御フレーム・バッファー５０１Ｂから受信したＭＡＣ  ＯＡＭＰ制御フレームに基づいてＭＡＣ  ＯＡＭＰ状態５０１Ｃを管理する。ＯＡＭＰバイト状態に変化がある場合、このＭＡＣ  ＯＡＭＰ制御オペレーション５０１Ａは、更にライン５１４に沿って割り込みを発生する。ＭＡＣ  ＯＡＭＰクライアント５０５は、このＭＡＣ  ＯＡＭＰ状態５０１Ｃにアクセスできる。このＭＡＣ  ＯＡＭＰ状態５０１Ｃには、様々な割り込みステータスレジスタ、ＯＡＭＰバイト状態レジスタ、受信したＯＡＭＰオペコード、及び他のＯＡＭＰ関連情報が含まれる。このＭＡＣ  ＯＡＭＰクライアント５０５は、更にこのＭＡＣ  ＯＡＭＰ状態５０１Ｃにおいてレジスタ５１３を設定することによってこのＭＡＣ  ＯＡＭＰクライアント５０５が構築する、ＭＡＣ  ＯＡＭＰ制御フレーム・バッファー５０１ＤからＭＡＣ  ＯＡＭＰ制御フレームを送信できる。このＭＡＣ  ＯＡＭＰ制御副層５０１は、更に送信用ＭＡＣ  ＯＡＭＰ制御フレーム５０１Ｄに直接５１２提供する、ＭＡＣ  ＯＡＭＰクライアント５０５をサポートできる。
【００８０】
図５に示したように、ＭＡＣ  ＯＡＭＰ制御副層５０１及び５１８をサポートするためにイーサネット（登録商標）ＭＡＣアーキテクチャを修正する。このイーサネット（登録商標）ＭＡＣアーキテクチャは、ＭＡＣ  ＯＡＭＰ制御フレームを受信した場合、及び／又はＭＡＣ  ＯＡＭＰ状態５０１ＣでＯＡＭＰ状態に変化があった場合は、ＭＡＣ  ＯＡＭＰ制御フレーム・バッファー５０１Ｂ及び５０１ＤのＭＡＣ  ＯＡＭＰ制御オペレーション５０１ＡにおいてＯＡＭＰ処理をサポートして、ＭＡＣ  ＯＡＭＰ状態５０１Ｃを保守すると共に、割り込みライン５１４に沿って割り込みを発生する。このＭＡＣ  ＯＡＭＰ制御副層５０１が、完全なパススルー又はＫ１／Ｋ２パススルーに関してＳＤＨ／ＳＯＮＥＴによって定義されるような継続スルー（原語：continue through）モードである場合、受信したＭＡＣ  ＯＡＭＰ制御フレーム５０１Ｂを、直接５０１Ｅ或いは送信フレーム・バッファー５０１Ｄによって、送信し返すことができる。このＭＡＣ  ＯＡＭＰオペレーション５０１Ａは、更に、故障又はＯＡＭＰ警報の検出の結果、動作（原語：working）インターフェースから保護インターフェースに、或いは保護インターフェースから動作インターフェースにスイッチオーバーするように、ＭＡＣ副層５０８又は物理層５０３又は他のＡＰＳスイッチングデバイスに示すための信号５１６を提供できる。ＭＡＣ  ＯＡＭＰ制御副層５０１用として意図されてはいない、ＯＡＭＰ制御フレームは、上位の副層へ向かってパススルー５２０でき、また、上位の層からのＯＡＭＰ制御フレーム５２２は、下位の副層へパススルーできる。ＭＡＣ  ＡＰＳ及びＭＡＣ  ＯＡＭＰ機能性の両方がサポートされている場合には、制御フレームを送信する必要がある場合に、ＳＤＨ／ＳＯＮＥＴ  ＡＰＳの５０ミリ秒スイッチオーバー要件のために、ＭＡＣ  ＡＰＳフレームを優先する。受信パスでは、ＭＡＣ  ＡＰＳ制御フレームも優先するべきである。
【００８１】
イーサネット（登録商標）・ハードウェアは、ポート故障又はリンク故障の結果ハード故障が生じたために生成される物理層５０３からの割り込みをサポートする。同様に、例えば予め設定した閾値より大きい誤り率といった、ソフト故障をサポートするために、このイーサネット（登録商標）・ハードウェアを拡張できる。このイーサネット（登録商標）・ハードウェアは、オーバーヘッド・バイトなどといったＯＡＭＰの現状にアクセスライン５１３を介してアクセスするために、ＭＡＣ  ＯＡＭＰ状態５０１Ｃ及びＭＡＣ  ＯＡＭＰクライアント５０５で上位層に対する追加のレジスタを提供する。
【００８２】
専用ＭＡＣ  ＯＡＭＰ制御フレーム・バッファー５０１Ｂ及び５０１Ｄは、ＭＡＣ  ＯＡＭＰ制御フレームをそれぞれ受信及び送信する。これらＭＡＣ  ＯＡＭＰ制御フレーム・バッファー５０１Ｂ及び５０１Ｄが存在することで、ＳＤＨ／ＳＯＮＥＴ規格に従ってＯＡＭＰ処置を速く講ずることができるように、制御フレームの先頭キュー・ブロックを防止する。これは、保護のための５０ミリ秒以内のスイッチオーバーのサポートを含む。イーサネット（登録商標）・ハードウェアは、ＭＡＣ  ＯＡＭＰ状態５０１ＣのＯＡＭＰ機能性に対する、個別制御レジスタとマスク可能なステータスレジスタとを更に提供できる。ＭＡＣ  ＯＡＭＰクライアント５０５は、ハードウェア・パス５１２を用いて、ＭＡＣ  ＯＡＭＰ制御フレーム・バッファー５０１ＤからのＭＡＣ  ＯＡＭＰ制御フレーム（送信）にアクセスできる。このアクセスを、レジスタとして、或いはＭＡＣ  ＯＡＭＰ制御フレーム・バッファー５０１Ｄへの直接のアクセスによって、実装できる。これら受信したデータ・フレームは、クライアント・フレーム受信パス５１０に沿って直接ＭＡＣクライアント５０６へ進む。このＭＡＣクライアント５０６送信データ・フレーム・パス５１１は、ＭＡＣクライアント５０６データ・フレームを直接ＭＡＣハードウェアへ送信する。
【００８３】
ＭＡＣ  ＡＰＳ制御副層５０２の個々の物理リンクを管理するために、リンクアグリゲーション副層５０４より下位に、図５に示したようなＭＡＣ  ＯＡＭＰ制御副層５０１を置くことができる。これに代えて、論理リンクを保護するために、リンクアグリゲーション副層５０４より上位に、ＭＡＣ  ＯＡＭＰ制御副層５１８を置くことができる。同じアーキテクチャは、両方の事例をサポートする。異なるＭＡＣ制御オペコードを利用して、異なる事例の各々を識別する。代替実施形態のＭＡＣ  ＯＡＭＰ制御副層５０１及び５１８は、ＭＡＣ  ＡＰＳ制御副層５０２及び５１２より下位でありうる。
【００８４】
近端ノード（送信源に近いノード）でローカルに障害又は故障を検出する場合、イーサネット（登録商標）ＰＨＹ層５０３は、割り込みライン５１４に沿って割り込みを発生する。この割り込みは、ＭＡＣ  ＯＡＭＰクライアント５０５を起動し、この結果ＯＡＭＰ処置を行う。更に、物理層５０３は、物理層５０３とＭＡＣ副層５０８との間のインターフェースを用いて、ＭＡＣ副層５０８に信号を送ることができる。ＭＡＣ  ＯＡＭＰ制御副層は、検出した故障に反応して適切なＯＡＭＰ処置で応答できる。このＯＡＭＰ処置は、ＭＡＣ  ＯＡＭＰ構成の場合には、約５０ミリ秒以内にアップストリーム及びダウンストリームへ、及び／又はスイッチオーバー５１６へ、警報信号を送ることでありえる。
【００８５】
遠端ノード（送信先に近いノード）は、遠隔に障害又は故障を検出する場合、ＯＡＭＰバイトに必要となるような、適切なＯＡＭＰ表示／ステータス及び情報と共に、ＭＡＣ  ＯＡＭＰ制御フレーム・バッファー５０１ＤからＭＡＣ  ＯＡＭＰ制御フレームを送る。近端ノードでこのＭＡＣ  ＯＡＭＰ制御フレームを受信する場合、近端ＭＡＣ  ＯＡＭＰ制御副層５０１、５０１Ａは、ＭＡＣ  ＯＡＭＰ制御フレーム・バッファー５０１ＢからのＭＡＣ  ＯＡＭＰ制御フレームを処理すると共に、新しい要求を反映するためにＭＡＣ  ＯＡＭＰ状態５０１ＣでＭＡＣ  ＯＡＭＰハードウェア状態／レジスタを更新する。ＭＡＣ  ＯＡＭＰ状態５０１ＣでＭＡＣ  ＯＡＭＰ状態バイトに変化がある場合は、このハードウェアは、受信したＭＡＣ  ＯＡＭＰ制御フレームのためのマスク可能な割り込みを提供する。こうした割り込みが生じる場合、それは、再びＭＡＣ  ＯＡＭＰクライアント５０５を起動して、このＭＡＣ  ＯＡＭＰクライアント５０５がＯＡＭＰ処置を実行する。
【００８６】
ＭＡＣ制御オペレーション５１０Ａは、更に、ＳＤＨ／ＳＯＮＥＴ規格で定義されるように基準を切り替えるために使用される、例えばＡＩＳ−Ｐ及びＰＤＩ−ＰなどといったＭＡＣ  ＯＡＭＰ制御フレームに対して監視できる。こうしたＭＡＣ  ＯＡＭＰ制御フレームを受信する場合、このＭＡＣ  ＯＡＭＰ制御オペレーション５１０Ａは、動作から保護に、或いはその逆に、５０ミリ秒以内にスイッチオーバー５１６するように、イーサネット（登録商標）ＰＨＹ層５０３へ信号を直接送ることができる。更に、ＭＡＣ  ＯＡＭＰクライアント５０５に割り込む５１４ように、このＭＡＣ制御オペレーション５１０Ａを構成でき、この結果、このＭＡＣ  ＯＡＭＰクライアント５０５が、このＭＡＣ  ＯＡＭＰ制御オペレーション５１０Ａを用いて５０ミリ秒以内のスイッチオーバー５１６を要求できる。
【００８７】
送信方向では、ＯＡＭＰレジスタがＭＡＣ  ＯＡＭＰ状態５０１Ｃに存在するように、ハードウェアを実装できる。また、ＯＡＭＰクライアント５０５は、ＭＡＣ  ＯＡＭＰ制御フレームを送信する必要がある場合、制御レジスタのハードウェア・パス５１２を介してＭＡＣ  ＯＡＭＰ制御フレーム・バッファー５０１Ｄへ書き込む。
【００８８】
代替実施形態では、ＭＡＣクライアント５０５は、ＭＡＣ  ＯＡＭＰ制御フレーム・バッファー５０１Ｄに送信する完全なＭＡＣ  ＯＡＭＰ制御フレームを作成できる。
【００８９】
ＭＡＣ  ＯＡＭＰ制御オペレーション５０１Ａパススルーモードでは、ＭＡＣ  ＯＡＭＰ制御オペレーション５０１Ａで直接修正することなく、且つ、ＭＡＣクライアント５０５に関係することなく、ＭＡＣ  ＯＡＭＰ制御フレーム・バッファー５０１Ｂにおいて受信したＭＡＣ  ＯＡＭＰ制御フレームを修正できると共に送信できるか、若しくは再送信５０１Ｅできる。これに代えて、このＭＡＣクライアント５０５に関係させることができ、また、このＭＡＣクライアント５０５は、ＭＡＣ  ＯＡＭＰ制御フレーム・バッファー３０１Ｄにおいてパススルー制御フレームを再び作成でき、且つ送信できる。
【００９０】
ＭＡＣ  ＯＡＭＰ状態５０１Ｃは、更に性能監視カウンタのステータス及びステータス情報を監視し見張るはずである。
【００９１】
更に、ＭＡＣ  ＯＡＭＰ制御副層５０１は、例えば、自動保護スイッチング（ＡＰＳ）、ループバック、トレース信号、同期信号、性能監視（ＰＭ）、ビット誤り率テスト（ＢＥＲＴ）、データ通信チャンネル（ＤＣＣ）、オーダーワイヤ（ＯＷ）、及びサービスレベル保証（ＳＬＡ）などといった、他の様々なオペレーション機能に対するサポートを提供する。
【００９２】
ＭＡＣ層には、本発明の実装に関する幾つかの実施形態がある。ウェーブ、物理、セクション、ライン、或いはパス（論理であろうが物理であろうが）のうちの任意の１つの事例にどのＭＡＣ  ＯＡＭＰ環境が存在するかを識別するために、下記の幾つかのプロセスのうちの１つが生じる。１つの実装は、ＭＡＣ制御フレームと、マルチキャスト宛先アドレス０１−８０−Ｃ２−００−００−０４と、タイプ０ｘ８８０８と、ライン物理ＯＡＭＰフレーム、ライン論理ＯＡＭＰフレーム、セクションＯＡＭＰフレーム、及びパスＯＡＭＰフレームに対する４つのオペコードとを使用することである。この方法を用いて、イーサネット（登録商標）に関するＳＤＨ／ＳＯＮＥＴ透過性要件をサポートできる。この方法の２番目の実装では、ＯＡＭＰ機能分類に基づいたオペコードを定義できるだろう。例えば、ＳＯＮＥＴ  ＧＲ−２５３セクション６．２に記載されるような、警報表示信号（ＡＩＳ）、遠端受信障害（ＲＤＩ）、自動ポート・スイッチング（ＡＰＳ）、データ通信チャンネル（ＤＣＣ）、トレース、同期、ループバック、性能監視（ＰＭ）、ビット誤り率テスト（ＢＥＲＴ）などの機能に対するオペコードは、対応するオペコード特定の制御パラメータで定義できる。この方法の３番目の実装は、性能又はサポートの要件に対して個々に重要なイベントのオペコードを定義することに基づく。例えば、ＡＩＳ−Ｌ、ＡＩＳ−Ｐ、ＲＤＩ−Ｌ、ＲＤＩ−Ｐ、ＡＰＳ、装置故障、遠端性能監視パラメータなどの宣言及びクリアに対して、個別のオペコードを定義できる。この方法の４番目の実装は、初めの３つの実装の組み合わせである。５番目の実装は、オペコードの代わりに異なるフレームタイプを利用する。これに代えて、一実施形態は、イーサネット（登録商標）規格に定義されるように、あるクラスの低速プロトコルとしてＭＡＣ  ＯＡＭＰを実装でき、これらあるクラスのプロトコルは、決して期間当たりフレームの指定最大数を越えて送らない。更に、別の実施形態は、ベンダー特定のマルチキャスト宛先アドレスを用いる実装を含む。通常の技能を備えた当業者であれば、上述の実施形態の異なる組み合わせもまた、明記されない他のものと同様に、使用できることを認識するはずである。
【００９３】
図６Ａは、イーサネット（登録商標）ＭＡＣ  ＯＡＭＰ制御フレーム６００フォーマット例を示す。全てのイーサネット（登録商標）・フレームは、７バイトのプリアンブル６０１で始まり、各々が値０ｘ５５を含む。フレーム開始デリミタ（ＳＦＤ）６０２は、値０ｘＤ５を含む。宛先アドレス６０３は、ＭＡＣ  ＯＡＭＰオペレーション用に指定した固有のマルチキャスト・アドレス：０１−８０−Ｃ２−００−００−０４を含む。この宛先アドレス６０３は、更に宛先ポート又はエンドステーションの、或いはネットワーク機器（ＮＥ）のユニキャストＭＡＣアドレスでありえる。システムソフトウェアといった外部メカニズムによって、宛先ＭＡＣを構成できる。宛先アドレスに関する１つの方法は、ウェーブ、物理、リジェネレータ／セクション、及び多重／ラインＯＡＭＰ制御フレームに対するマルチキャスト・アドレスを使用すること、及びパスＯＡＭＰ制御フレームに対するユニキャスト・アドレスを使用することである。この宛先アドレス６０３は、６バイトを必要とする。同様に６バイトを必要とする送信元アドレス６０４は、ＭＡＣ  ＯＡＭＰフレームを送る送信元インターフェースのユニキャスト・アドレスを含む。ＶＬＡＮタグ・フィールド６１０は、オプションであり、フィールドの初めの２バイトに標準のＶＬＡＮプロトコルＩＤ  ０ｘ８１００を含んでおり、また、２番目の２バイトが、ＶＬＡＮ識別子、プライオリティ、及びタグ制御情報ビットを含んでいる。これらは、８０２．１Ｑ／１ｐ規格で定義される。タイプ・フィールド６０５は、全てのＭＡＣ制御フレームに使用される指定値０ｘ８８０８を含んでおり、２バイトを必要とする。ＭＡＣ  ＯＡＭＰ制御オペコード６０６は、様々な実施形態に基づいて様々なＯＡＭＰオペコードタイプを備えることができる。６０６にあるＭＡＣ  ＯＡＭＰ制御オペコードは、８０２規格委員会への登録が必要となる。全ての場合において、このＭＡＣ  ＯＡＭＰ制御オペコード６０６は、２バイトを必要とする。ＭＡＣ  ＯＡＭＰ制御パラメータ・フィールド６０７は、オプションであり、また、様々な実施形態に基づいて様々なパラメータを備えることができる。これらの制御パラメータ・フィールドは、標準のＳＤＨ／ＳＯＮＥＴ  ＯＡＭＰの対応するオーバーヘッド・バイトに基づいた値を含むことができる。外部ソフトウェアは、これらのフィールドを用いて、警報を発生するか或いは故障発生場所のステータスを報告できる。予約フィールド６０８を将来の拡張用に維持すると共に、全てゼロにセットする。フレーム・チェック・シーケンス（ＦＣＳ）・フィールド６０９は、宛先アドレス６０３から予約フィールド６０８の終端まで包括してフレームの中身を計算したチェックサムである。
【００９４】
ＭＡＣ  ＯＡＭＰ制御フレーム６００にプライオリティを与えるために、適切なプライオリティでＶＬＡＮフィールド６１０を設定できる。パスレベルＯＡＭＰにＶＬＡＮタグ６１０を使用する場合は、定義によれば、パスに沿ったステーション／ノード全てがＶＬＡＮを検出する（原語：VLAN aware）必要があることに注目するべきである。これに代えて、エッジ・ステーション／ノードは、ＶＬＡＮタグを取ることができる。コンフィギュレーションは、これがＶＬＡＮエッジ・ステーション／ノードであることを示さなければならない。
【００９５】
図６Ｂ、６Ｃ、６Ｄ、６Ｅ、６Ｆ、６Ｇ、６Ｈ、６Ｉ、及び６Ｊは、種々様々な実施形態に関するＭＡＣ  ＯＡＭＰ制御フレームの、ＭＡＣ  ＯＡＭＰ制御オペコード６０６及び制御パラメータ６０７部分を示す。
【００９６】
図６Ｂ及び６Ｃは、ＭＡＣ  ＯＡＭＰ制御オペコード及びパラメータ構造と、本発明の一実施形態で定義したような関連するオーバーヘッド・バイトとを示す。この実施形態では、リジェネレータ／セクション、多重／ライン、及びパス用のＳＤＨ／ＳＯＮＥＴオーバーヘッド・バイトを用いることにより完全な状態でＭＡＣ制御パラメータ・フィールドにＳＤＨ／ＳＯＮＥＴオーバーヘッド・バイトを入れて送信できる。ＳＤＨ／ＳＯＮＥＴ透過性サポートタイプ・アプリケーションにおいてこの実施形態を用いて、イーサネット（登録商標）・ネットワーク上でＳＤＨ／ＳＯＮＥＴオーバーヘッド・バイトを転送できる。
【００９７】
ユーザ・パケット内のイーサネット（登録商標）・フレーム・データ・フィールドを用いてオーバーヘッド・バイトを送ることの代わりとして、この実施形態を用いることができる。その利点は、ＭＡＣ層が速度及び効率に対してＯＡＭＰを扱うことができることである。そうでなければ、上位のクライアント層は、全てのＯＡＭＰ要求／フレームに係わらなければならなくなる。
【００９８】
図６Ｂは、ＲＳＯＨ／ＳＯＨ  ＯＡＭＰ制御フレーム６００ＢのＭＡＣ  ＯＡＭＰ制御オペコード・フィールド６０６Ｂ及びＭＡＣ  ＯＡＭＰ制御パラメータ・フィールド６０７Ｂの例を示す。このＭＡＣ  ＯＡＭＰ制御オペコード・フィールド６０６Ｂは、この制御フレームがＲＳＯＨ／ＳＯＨタイプであることを示す値０ｘ０１００を含む。このＭＡＣ制御パラメータ６０７Ｂは、２バイトのＳＴＭ−１／ＳＴＳ−１チャンネル・パラメータ・フィールド６０８Ｂを備える。このフィールドは、オーバーヘッド・バイトが関係するＳＤＨ／ＳＯＮＥＴチャンネルを指定する。このＭＡＣ制御パラメータ６０７Ｂは、ＳＤＨ  ＳＴＭ−１  ＲＳＯＨフィールド６０９Ｂ用に３６バイト、或いはＳＯＮＥＴ  ＳＴＳ−１  ＳＯＨフィールド６０９Ｂ用に９バイトを備える。このフィールドは、ＳＤＨ／ＳＯＮＥＴ構成に含まれるようなオーバーヘッド・バイト値を含む。
【００９９】
図６Ｃは、ＭＳＯＨ／ＬＯＨ  ＯＡＭＰ制御フレーム６００ＣのＭＡＣ  ＯＡＭＰ制御オペコード・フィールド６０６Ｃ及びＭＡＣ  ＯＡＭＰ制御パラメータ・フィールド６０７Ｃの例を示す。このＭＡＣ  ＯＡＭＰ制御オペコード・フィールド６０６Ｃは、この制御フレームがＭＳＯＨ／ＬＯＨタイプであることを示す値０ｘ０２００を含む。このＭＡＣ制御パラメータ６０７Ｃは、２バイトのＳＴＭ−０／ＳＴＳ−１チャンネル・パラメータ・フィールド６０８Ｃを備える。このフィールドは、オーバーヘッド・バイトが関係するＳＤＨ／ＳＯＮＥＴチャンネルを指定する。ＭＡＣ制御パラメータ６０７Ｃは、関連するＳＴＭ−０オーバーヘッド・バイトのマルチカラム数フィールド６１０Ｃ用に１バイトのフィールドを備える。このマルチカラム数は、規格Ｇ．７０１／Ｙ．１３２２セクション９．２．１で定義される。このＭＡＣ制御パラメータ６０７Ｃは、ＳＤＨ  ＳＴＭ−０  ＭＳＯＨフィールド６０９Ｃ用に１８バイト、或いはＳＯＮＥＴ  ＳＴＳ−１  ＳＯＨフィールド６０９Ｃ用に１８バイトを備える。このフィールドは、ＳＤＨ／ＳＯＮＥＴ構成に含まれるようなオーバーヘッド・バイト値を含む。ＳＴＭ−１のオーバーヘッド・バイトと制御フレーム・バイトの残りとによって、制御フレーム・サイズの合計が、制御フレームの現在のフレーム長さサイズ制限である６４バイトより大きくなってしまうので、ＳＴＭ−０オーバーヘッド・カラムに入れてＳＤＨ  ＭＳＯＨバイトを送信する。
【０１００】
同様に、ＰＯＨ制御フレームを定義できる。これに代えて、ＳＤＨ／ＳＯＮＥＴでは、ＰＯＨが典型的にペイロードに関係しており、ＳＤＨ／ＳＯＮＥＴペイロードと共にこのＰＯＨを透過して送信できる。
【０１０１】
図６Ｄ、６Ｅ、及び６Ｆは、機能性に基づいた制御フレームの実施形態を示す。この実施形態では、例えば、警報表示信号（ＡＩＳ）、遠端受信障害（ＲＤＩ）、ループバック、自動ポート・スイッチング（ＡＰＳ）、データ通信チャンネル（ＤＣＣ）、トレースバイト、同期バイト、性能監視（ＰＭ）、及びビット誤り率テスト（ＢＥＲＴ）といった、機能的なカテゴリーに対して制御フレーム・オペコードを定義する。これら制御フレーム制御パラメータは、対応するＳＤＨ／ＳＯＮＥＴリジェネレータ／セクション、多重／ライン、及びパス機能バイトに対するフィールド及び値を備えることができる。各ＮＥは、それが終端するバイトを処理するはずである。これらフィールドの値は、対応するＳＤＨ／ＳＯＮＥＴオーバーヘッド・バイトにおいて示した値と同じであると定義できる。
【０１０２】
図６Ｄは、ＭＡＣ  ＯＡＭＰ  ＡＩＳ制御フレーム６００ＤのＭＡＣ  ＯＡＭＰ制御オペコード・フィールド６０６Ｄ及びＭＡＣ  ＯＡＭＰ制御パラメータ・フィールド６０７Ｄの例を示す。このＭＡＣ  ＯＡＭＰ制御オペコード・フィールドは、この制御フレームがＡＩＳタイプであることを示す０ｘ０１００という値を備える。このＭＡＣ  ＯＡＭＰ制御パラメータ６０７Ｄは、ＭＳ−ＡＩＳ／ＡＩＳ−Ｌ  ６０８Ｄ、ＡＵ−ＡＩＳ／ＡＩＳ−Ｐ  ６０９Ｄ、ＴＵ−ＡＩＳ／ＡＩＳ−Ｖ  ６１０Ｄ、及びＶ５  ＡＩＳ／ＡＩＳ−ＤＳｎ  ６１１Ｄ用にそれぞれ１バイトのフィールドを備える。ＡＩＳ−Ｌを表示する予定である場合、ＡＩＳ−Ｌフィールド６０８Ｄの値は、全て１でありえる。ＡＩＳ−Ｌをクリアする予定である場合、ＡＩＳ−Ｌフィールド６０８Ｄの値は、全てゼロでありえる。同様に、他のフィールド値全ては、ＳＤＨ／ＳＯＮＥＴ規格で行うように定義できる。
【０１０３】
図６Ｅは、ＭＡＣ  ＯＡＭＰ  ＲＤＩ制御フレーム６００ＥのＭＡＣ  ＯＡＭＰ制御オペコード・フィールド６０６Ｅ及びＭＡＣ  ＯＡＭＰ制御パラメータ・フィールド６０７Ｅの例を示す。このＭＡＣ  ＯＡＭＰ制御オペコード・フィールドは、この制御フレームがＲＤＩタイプであることを示す０ｘ０２００という値を備える。このＭＡＣ  ＯＡＭＰ制御パラメータ６０７Ｅは、ＭＳ−ＲＤＩ／ＲＤＩ−Ｌ  ６０８Ｅ、ＨＰ−ＲＤＩ／ＡＩＳ−Ｐ  ６０９Ｅ、ＬＰ−ＲＤＩ／ＲＤＩ−Ｖ  ６１０Ｅ、ＲＤＩ−ＤＳｎ  ６１１Ｅ、ＰＤＩ−Ｐ  ６１２Ｅ、及びＰＤＩ−Ｖ  ６１３Ｅ用にそれぞれ１バイトのフィールドを備える。ＲＤＩ−Ｌを表示する予定である場合、ＲＤＩ−Ｌフィールド６０８Ｅのビット６、７、及び８の値は、値１、１、及び０を持つことができる。ＲＤＩ−Ｌをクリアする予定である場合、ＲＤＩ−Ｌフィールド６０８Ｅのビット６、７、及び８の値は、値０、０、及び０を持つことができる。ＲＤＩ−Ｐを表示する予定である場合、ＲＤＩ−Ｐフィールド６０９Ｅのビット５及び６の値は、ＰＬＭ−Ｐに対して値０及び１を、また、ＡＩＳ−Ｖ又はＬＯＰ−Ｐに対して値１及び０を、また、ＵＮＥＱ−Ｐに対して値１及び１を持つことができる。同様に、他のフィールド値全ては、ＳＤＨ／ＳＯＮＥＴ規格で行うように定義できる。
【０１０４】
図６Ｆは、ＭＡＣ  ＯＡＭＰループバック制御フレーム６００ＦのＭＡＣ  ＯＡＭＰ制御オペコード・フィールド６０６Ｆ及びＭＡＣ  ＯＡＭＰ制御パラメータ・フィールド６０７Ｆの例を示す。このＭＡＣ  ＯＡＭＰ制御オペコード・フィールドは、この制御フレームがループバックタイプであることを示す０ｘ０３００という値を備える。このＭＡＣ  ＯＡＭＰ制御パラメータ６０７Ｆは、内部ループバック６０８Ｆ及び設備ループバック６０９Ｆ用にそれぞれ１バイトのフィールドを備える。更に、リジェネレータ／セクション、多重／ライン、及びパスレベル用のループバックをサポートするために、これらを拡張できる。内部ループバックを活性化する必要がある場合、内部ループバック・フィールド６０８Ｆは、全て１という値を持つことができる。内部ループバックを非活性化する必要がある場合、この内部ループバック・フィールド６０８Ｆは、全てゼロという値を持つことができる。同様に、設備ループバック・フィールド６０９Ｆに値を用いることができる。更に、このＭＡＣ  ＯＡＭＰ制御パラメータ・フィールド６０７Ｆは、ループバックがアクティブである間の時間間隔を含むことができる。
【０１０５】
図６Ｇ、６Ｈ、６Ｉ、及び６Ｊは、イベントに基づいた制御フレームの実施形態を示す。この実施形態では、例えば、ＡＩＳ−Ｌ、ＡＩＳ−Ｐ、ＲＤＩ−Ｌ、ＲＤＩ−Ｐ、内部ループバック、設備ループバック、遠端ラインＰＭ、及び遠端パスＰＭなどといった、個々のイベントに対して、制御フレーム・オペコードを定義する。これら制御フレーム制御パラメータは、対応するＳＤＨ／ＳＯＮＥＴリジェネレータ／セクション、多重／ライン、及びパス機能バイトに対するフィールド及び値を備えることができる。各ＮＥは、それが終端する制御フレームを処理するはずである。これらフィールドの値は、対応するＳＤＨ／ＳＯＮＥＴオーバーヘッド・バイトにおいて示した値と同じであると定義できる。
【０１０６】
図６Ｇは、ＭＡＣ  ＯＡＭＰイベント制御フレーム６００ＧのＭＡＣ  ＯＡＭＰ制御オペコード・フィールド６０６Ｇの例を示す。このＭＡＣ  ＯＡＭＰ制御オペコード・フィールド６０６Ｇは、この制御フレームがＭＳ−ＡＩＳ／ＡＩＳ−Ｌ表示タイプであることを示す０ｘ０１０１という値を備える。同様に、制御フレームに対して、オペコードは、例えば、ＡＵ−ＡＩＳ／ＡＩＳ−Ｐ、ＭＳ−ＲＤＩ／ＲＤＩ−Ｌ、ＨＰ−ＲＤＩ／ＲＤＩ−Ｐ、内部ループバック、設備ループバックなどといった、イベントを表示するために定義できる。
【０１０７】
図６Ｈは、ＭＡＣ  ＯＡＭＰイベント制御フレーム６００ＨのＭＡＣ  ＯＡＭＰ制御オペコード・フィールド６０６Ｈの例を示す。このＭＡＣ  ＯＡＭＰ制御オペコード・フィールド６０６Ｈは、この制御フレームがＭＳ−ＡＩＳ／ＡＩＳ−Ｌクリアタイプであることを示す０ｘ０１０２という値を備える。同様に、制御フレームに対して、オペコードは、例えば、ＡＵ−ＡＩＳ／ＡＩＳ−Ｐ、ＭＳ−ＲＤＩ／ＲＤＩ−Ｌ、ＨＰ−ＲＤＩ／ＲＤＩ−Ｐ、内部ループバック、設備ループバックなどといった、イベントをクリアするために定義できる。
【０１０８】
図６Ｉは、ＭＡＣ  ＯＡＭＰイベント制御フレーム６００ＩのＭＡＣ  ＯＡＭＰ制御オペコード・フィールド６０６Ｉ及びＭＡＣ  ＯＡＭＰ制御パラメータ・フィールド６０７Ｉの例を示す。このＭＡＣ  ＯＡＭＰ制御オペコード・フィールド６０６Ｉは、この制御フレームがＡＩＳタイプであることを示す０ｘ０１００という値を備える。このＭＡＣ  ＯＡＭＰ制御パラメータ・フィールド６０７Ｉは、例えば、ＡＵ−ＡＩＳ／ＡＩＳ−Ｐ、ＭＳ−ＲＤＩ／ＲＤＩ−Ｌ、ＨＰ−ＲＤＩ／ＲＤＩ−Ｐ、内部ループバック、及び設備ループバックなどといった、イベント用にそれぞれ１バイトのフィールドを備える。上述の実施形態のうちの幾つかに記載した方法と同じように、これらフィールドの値を用いて、イベントを表示／活性化できるか、若しくはクリア／非活性化できる。このフィールドは、ＳＤＨ／ＳＯＮＥＴで定義されると共に図６Ｄ及び図６Ｅに関して説明されたバイトと同じバイトに対する値を含むことができる。
【０１０９】
図６Ｊは、ＭＡＣ  ＯＡＭＰイベント制御フレーム６００ＪのＭＡＣ  ＯＡＭＰ制御オペコード・フィールド６０６Ｊ及びＭＡＣ  ＯＡＭＰ制御パラメータ・フィールド６０７Ｊの例を示す。このＭＡＣ  ＯＡＭＰ制御オペコード・フィールド６０６Ｊは、この制御フレームが遠端ラインＰＭイベントタイプであることを示す０ｘ０４０１という値を備える。このＭＡＣ  ＯＡＭＰ制御パラメータ・フィールド６０７Ｊは、対応する遠端ラインＳＤＨ／ＳＯＮＥＴバイト用にそれぞれ１バイトのフィールドを備える。このＭＡＣ  ＯＡＭＰ制御オペコード・フィールド６０６Ｊは、この制御フレームが遠端ラインＰＭイベントタイプであることを示す０ｘ０４０１という値を備える。このＭＡＣ  ＯＡＭＰ制御オペコード・フィールド６０６Ｊは、この制御フレームが遠端パスＰＭイベントタイプであることを示す０ｘ０４０２という値を備える。このＭＡＣ  ＯＡＭＰ制御パラメータ・フィールド６０７Ｊは、対応する遠端パスＳＤＨ／ＳＯＮＥＴバイト用にそれぞれ１バイトのフィールドを備える。
【０１１０】
同様に、ＭＡＣ  ＯＡＭＰ制御フレームをウェーブ及び物理ＯＡＭＰ機能性に対して定義できる。更に、このＭＡＣ  ＯＡＭＰ制御フレームをイーサネット（登録商標）特定である、新しいＯＡＭＰ機能性に対して定義できる。
【０１１１】
ＭＡＣ  ＯＡＭＰ制御フレーム６００は、障害隔離及び場所に関する、例えば、ポートＩＤ、スロットＩＤ、ノードＩＤ、ブリッジＩＤ、及びＩＰアドレスなどといった、追加の診断学情報をサポートできる。これらをＭＡＣ  ＯＡＭＰ制御パラメータ・フィールド６０７に置くことができる。
【０１１２】
図７は、イーサネット（登録商標）ＭＡＣ  ＯＡＭＰオペレーションの実装の一例を示す。図７は、様々な終端層と共にネットワーク要素（ＮＥ）のイーサネット（登録商標）・ネットワークを示す。各層では、図７は、障害又は故障状態がいつ生じるか、及び、この状態とアップストリーム及びダウンストリーム表示信号とを検出するＮＥのレスポンスが何であるかを示す。図７は、ＳＯＮＥＴ用語を用いて実装を示す。このイーサネット（登録商標）ＭＡＣ  ＯＡＭＰオペレーションは、ＭＡＣ  ＯＡＭＰ制御フレームフォーマットに依存しない。説明したオペレーションの実装と共に、上述した制御フレームフォーマットのうちの何れも使用できる。ＳＯＮＥＴからＳＤＨへのイベントのマッピングは、本業界で周知である。通常の技能を備えた当業者であれば、ＳＤＨプロトコルと同様にＳＯＮＥＴプロトコルにも本明細書に記載した本発明を適用可能であることを理解するはずである。
【０１１３】
ＮＥは、終端層レベルより下位か或いは等しいレベルである、層レベル情報を持っている場合、ＯＡＭＰ制御フレームを処理するはずである。処理した後、これらの制御フレームをこのＮＥで終端できる。これに代えて、これら制御フレームをアップストリーム又はダウンストリームのＮＥへ再送信できるか、若しくはパススルーできる。ＳＤＨ／ＳＯＮＥＴ規格で要求されるように、ＮＥによって終端されない層に関する制御フレーム情報を監視するようにＮＥに要求してもよい。ＳＴＥは、ウェーブ層、物理層、及びセクション層レベル情報を備えた全てのＯＡＭＰ制御フレームを処理する。ＬＴＥは、ウェーブ層、物理層、セクション層、及びライン層レベル情報を備えた全てのＯＡＭＰ制御フレームを処理する。ＰＴＥは、ウェーブ層、物理層、セクション層、ライン層、及びパス層レベル情報を備えた全てのＯＡＭＰ制御フレームを処理する。マルチキャスト宛先アドレス宛ての制御フレームを受信ＮＥで終端／終了（原語：sunk）する。制御フレームは、ＮＥの終端層より１レベル上で情報を含んでいる場合、ダウンストリーム又はアップストリームに適切に再送信され、対応する終端ＮＥでやがて終端する。ユニキャスト宛先アドレス宛ての制御フレームをその宛先ＮＥで終端する。
【０１１４】
ＷＴＥ７００は、ＭＡＣ  ＯＡＭＰ制御副層内で、ウェーブ層７０２環境においてウェーブ層ＯＡＭＰ制御フレームを処理する。ＳＴＥ７１０及び７２０は、ＭＡＣ  ＯＡＭＰ制御副層内で、物理層７１２及び７２２のイベントと、セクション層７１４及び７２４のＯＡＭＰ制御フレームとを処理する。ＬＴＥ７３０及び７４０は、ＭＡＣ  ＯＡＭＰ制御副層内で、物理層７３２及び７４２のイベントと、セクション層７３４及び７４４のＯＡＭＰ制御フレームと、ライン層７３６及び７４６のＯＡＭＰ制御フレームとを処理する。ＰＴＥ７５０及び７６０は、ＭＡＣ  ＯＡＭＰ制御副層内で、物理層７５２及び７６２のイベントと、セクション層７５４及び７６４のＯＡＭＰ制御フレームと、ライン層７５６及び７６６のＯＡＭＰ制御フレームと、パス層７５８及び７６８の制御フレームとを処理する。
【０１１５】
図７に示したように、各層では、様々な障害又は故障イベントが生じうる。ウェーブ層７０２で故障が生じる場合は、物理層７２２に対して、ウェーブ損失（ＬＯＷ；非標準）状態７７２が起こりうる。物理層７２２で故障が生じる場合は、セクション層７２４に対して、入力断（ＬＯＳ）、フレーム同期外れ（ＬＯＦ）、或いは警報表示信号−セクション（ＡＩＳ−Ｓ；非標準）状態７７４が起こりうる。セクション層７２４で故障が生じる場合は、ライン層７４６に対して、ＬＯＳ、ＬＯＦ、ポインタ異常−パス（ＬＯＰ−Ｐ）、或いは警報表示信号−ライン（ＡＩＳ−Ｌ）状態７７６が起こりうる。ライン層７４６で故障が生じる場合は、パス層７６８に対して、ＬＯＳ、ＬＯＦ、ＡＩＳ−Ｌ、ＬＯＰ−Ｐ、警報表示信号−パス（ＡＩＳ−Ｐ）、警報表示信号−仮想トリビュタリ（ＡＩＳ−Ｖ）、パスレベルでの未実装ＳＴＳ（原語：Unequipped STS）（ＵＮＥＱ−Ｐ）、及びパス・ラベル・ミスマッチ−パス（ＰＬＭ−Ｐ）状態７８２が起こりうる。
【０１１６】
障害又は故障の状態を検出すると、ＮＥは、図７に示したようなＭＡＣ  ＯＡＭＰ制御フレームによって、アップストリーム７０４及びダウンストリーム７０６のＮＥに対して、適切な障害及び警報表示信号を表示する。警報表示信号は、ダウンストリームに送られる。遠端受信障害は、アップストリームに送られる。ＷＴＥ７００は、故障状態７７２を検出すると、そのダウンストリームのＳＴＥ７２０に対して警報表示信号−セクション（ＡＩＳ−Ｓ；非標準）検出制御フレーム７７７を生成する。このＳＴＥ７２０は、このＡＩＳ−Ｓ検出制御フレーム７７７を受信すると、次にアップストリームのＳＴＥ７１０に対して遠端受信障害−セクション（ＲＤＩ−Ｓ；非標準）制御フレーム７９２を生成する。ＳＴＥ７２０は、故障状態７７４を検出すると、そのダウンストリームのＬＴＥ７４０に対して警報表示信号−ライン（ＡＩＳ−Ｌ）検出制御フレーム７７８を生成する。このＬＴＥ７４０は、このＡＩＳ−Ｌ検出制御フレーム７７８を受信すると、次にアップストリームのＬＴＥ７３０に対して遠端受信障害−ライン（ＲＤＩ−Ｌ）制御フレーム７９４を生成する。ＬＴＥがＲＤＩ−Ｌを検出する場合、ＡＩＳ−Ｐは生成されない。ＬＴＥ７４０は、故障状態７７６を検出すると、そのダウンストリームのＰＴＥ７６０に対して警報表示信号−パス（ＡＩＳ−Ｐ）制御フレーム７８０を生成する。このＰＴＥ７６０は、このＡＩＳ−Ｐ制御フレーム７８０を受信すると、次にアップストリームのＰＴＥ７５０に対して遠端受信障害−パス（ＲＤＩ−Ｐ）又はＲＤＩ−Ｌ制御フレーム７９６を生成する。ＰＴＥがＲＤＩ−Ｌ又はＲＤＩ−Ｐを検出する場合、ＡＩＳ−Ｖ又はＡＩＳ−ＤＳｎ、或いはＰＤＩ−Ｐは生成されない。このＰＴＥ７６０が更に仮想トリビュタリ（ＶＴ）及びデジタル信号−ｎ（ＤＳ−ｎ）をサポートする場合には、このＰＴＥ７６０は、次にダウンストリームのＮＥに対して、対応するＡＩＳ又はペイロード障害表示−パス（ＰＤＩ−Ｐ）制御フレーム７８４を生成する。このＰＴＥ７５０は、更にＶＴをサポートする場合には、アップストリームのＮＥに対して遠端受信障害−ＶＴ（ＲＤＩ−Ｖ）制御フレーム７９８を生成する。
【０１１７】
この故障状態がクリアされると、このＷＴＥ７００は、ダウンストリームのＳＴＥ７２０に対してＡＩＳ−ＳクリアＯＡＭＰ制御フレームを生成する。
このＳＴＥ７２０は、このＡＩＳ−ＳクリアＯＡＭＰ制御フレームを受信すると、次にアップストリームのＳＴＥ７１０に対してＲＤＩ−ＳクリアＯＡＭＰ制御フレームを生成する。この故障状態がクリアされると、このＳＴＥ７２０は、ダウンストリームのＬＴＥ７４０に対してＡＩＳ−ＬクリアＯＡＭＰ制御フレームを生成する。このＬＴＥ７４０は、このＡＩＳ−ＬクリアＯＡＭＰ制御フレームを受信すると、次にアップストリームのＬＴＥ７３０に対してＲＤＩ−ＬクリアＯＡＭＰ制御フレームを生成する。この故障状態がクリアされると、このＬＴＥ７４０は、ダウンストリームのＰＴＥ７６０に対してＡＩＳ−ＰクリアＯＡＭＰ制御フレームを生成する。このＰＴＥ７６０は、このＡＩＳ−ＰクリアＯＡＭＰ制御フレームを受信すると、次にアップストリームのＰＴＥ７５０に対してＲＤＩ−ＰクリアＯＡＭＰ制御フレームを生成する。このＰＴＥ７６０は、ＶＴ及びＤＳ−ｎをサポートする場合には、次にダウンストリームのＮＥに対してこのＡＩＳ又はＰＤＩ−Ｐ対応の制御フレームを生成する。このＰＴＥ７５０は、更にＶＴをサポートする場合には、アップストリームのＮＥに対してＲＤＩ−ＶクリアＯＡＭＰ制御フレームを生成する。
【０１１８】
故障を検出する場合、故障が検出されたことを示すために、そのＯＡＭＰ制御状態を更新できる。このＡＩＳ又はＲＤＩ検出ＯＡＭＰ制御フレームを生成する場合、このＡＩＳ又はＲＤＩ  ＯＡＭＰ制御フレームを送信したことを示すために、このＭＡＣ  ＯＡＭＰ制御状態を更新できる。故障がクリアされる場合、故障がクリアされたことを示すために、このＯＡＭＰ制御状態を更新できる。このＡＩＳ又はＲＤＩクリアＯＡＭＰ制御フレームを生成する場合、このＡＩＳ又はＲＤＩ  ＯＡＭＰ制御フレームを生成したことを示すために、このＭＡＣ  ＯＡＭＰ制御状態を更新できる。
【０１１９】
パケットロスの可能性から保護するために、ＯＡＭＰ制御フレームを幾つかの初期の間隔で複数回（３乃至５）送ることができる。更に、類似の状態が存在している間、等間隔でＯＡＭＰ制御フレームを送ることもできる。ＯＡＭＰ制御フレームは、低速プロトコルの規則に従うことができる。
【０１２０】
ＳＤＨ／ＳＯＮＥＴの場合には、その時分割多重方式（ＴＤＭ）の性質のために、この故障状態を検出したポート／フレーマに対応するチャンネルと、オーバーヘッド・バイトとは、直接関係する。これにより、ＮＥは、この故障状態の適切な表示信号でダウンストリーム及びアップストリームに示すために、対応するオーバーヘッド・バイトを修正できる。現行規格イーサネット（登録商標）では、保守されるこうした環境は無い。イーサネット（登録商標）ＭＡＣ  ＯＡＭＰ制御フレームが全てのポートへ氾濫するかもしれないが、それは、効率的なオペレーション方法ではなかろう。イーサネット（登録商標）ＭＡＣの変化と共にＯＡＭＰオペレーションをサポート可能にするためには、イーサネット（登録商標）ＭＡＣクライアントは、更に修正を必要とする。
【０１２１】
イーサネット（登録商標）ＭＡＣクライアント又はＭＡＣ  ＯＡＭＰ制御副層が、どの出力ポートへＡＩＳ又はＲＤＩ制御フレームを送るかを知るためには、進入ポートからのトラフィックに関連した全ての退出ポート又はアドレステーブルエントリにこの故障状態が生じうる、進入ポートのマッピングを保守しなければならない。この関係を保守するための実装に関する実施形態が幾つかある。これらの実装は、ＭＡＣハードウェアを実装する方法に特有であってもよい。以下は、このマッピングを実装する方法の少数例である。
【０１２２】
ＳＴＥ  ＮＥに関しては、故意に１つの進入ポートが典型的には１つの退出ポートに関係しているので、各行が退出ポート・フィールドの進入ポート・インデックスであるように、テーブルを保守できる。
【０１２３】
ＳＴＥ  ＮＥが１つの進入ポートから多数の退出ポートへのトラフィックをサポートする能力を備える場合は、このＮＥは、進入ポートから退出ポートへのマッピングのテーブルを保守できる。進入ポートと、ＮＥにおいて設計されたポートの総数のサイズのワードマップ（原語：word map）を表わす各行とによって、テーブルにインデックスを付けておくことで、このテーブルを効率的に保守できる。このＮＥによってアーキテクチャ上サポートされたアドレステーブルのサイズで各ワードサイズを決定する。それは、インデックスに付けた進入ポートからその退出ポートへパケットを転送する、対応する退出ポートアドレステーブルエントリの参照カウントを含む。トラフィックが進入ポートから始まるようにアドレステーブルエントリを（学習中に、或いは手動で）構成した場合、退出ポートによってインデックスが付けられたワードマップ中の対応するワードをインクリメントすることができる。アドレステーブルエントリを（エージング中に、或いは手動で）取り除く場合、ワードマップ中の対応する退出ポートのワードをディクリメントする。ワード・フィールドがゼロでない場合、退出ポートに対してＯＡＭＰ  ＡＩＳ又はＲＤＩ制御フレームを生成しなければならない。それがゼロである場合は、ＯＡＭＰ  ＡＩＳ又はＲＤＩ制御フレームを生成する必要がない。この実施形態は、少ないオーバーヘッド及びコストのために、マルチキャスト宛先ＯＡＭＰ制御フレームに適しているかもしれない。セクション及びラインＯＡＭＰ制御フレームがマルチキャストを使用する場合は、この実施形態を用いて、ＳＴＥ及びＬＴＥ  ＯＡＭＰ制御フレームを実装できる。パス・マルチキャストＯＡＭＰ制御フレームをサポートするこの方法では、ＭＡＣクライアントは、進入ポートにおいてパスＭＡＣ  ＯＡＭＰ制御フレームを受信する場合、それを処理して、その後、関連する退出ポートへそれを転送するはずである。
【０１２４】
ＳＴＥ  ＮＥの進入ポートで故障を検出する場合、ＭＡＣ  ＯＡＭＰクライアント又はＭＡＣ  ＯＡＭＰ制御副層は、マルチキャストＯＡＭＰ  ＡＩＳ−Ｌ制御フレームをダウンストリームに送信するよう構築でき、且つ要求できる。更に、このＭＡＣ  ＯＡＭＰクライアント又はＭＡＣ  ＯＡＭＰ制御副層は、マルチキャストＯＡＭＰ  ＲＤＩ−Ｓ制御フレームをアップストリームに送信するよう構築でき、且つ要求できる。ＷＴＥ  ＮＥは、同様の方法で故障を扱うと共に、マルチキャストＡＩＳ−Ｓ  ＯＡＭＰ制御フレームをアップストリームに生成する。
【０１２５】
ＬＴＥ及びＰＴＥ  ＮＥに関して、１つの方法は、ＬＴＥ又はＰＴＥのＭＡＣクライアント層においてこの情報を保守することである。全てのフォワーディング・アドレステーブルエントリが進入ポート・フィールドを備えるように、ＮＥによって保守されるアドレステーブルを拡張できる。保守されない場合は、更に対応するフォワーディング・エントリの送信元アドレスを保守するために、アドレステーブルエントリを拡張できる。
【０１２６】
進入ポートで故障を検出する場合、ＭＡＣ  ＯＡＭＰ制御副層は、ＭＡＣ  ＯＡＭＰクライアント層に通知できる。ＬＴＥ又はＰＴＥ  ＮＥの場合には、このＭＡＣ  ＯＡＭＰクライアント又はＭＡＣ  ＯＡＭＰ制御副層は、マルチキャストＯＡＭＰ  ＲＤＩ−Ｌ制御フレームをこの進入ポートからアップストリームに送信するよう生成できる。その後、ＭＡＣ  ＯＡＭＰクライアントは、アドレステーブルを通り抜けることができ、且つ、一致する進入ポートを備えたアドレステーブルエントリを全て見つけることができ、また、このアドレステーブルエントリによって指定されるような宛先及び送信元アドレスを用いて、ＬＴＥ又はＰＴＥ  ＮＥに基づいたＭＡＣ  ＯＡＭＰ  ＡＩＳ−Ｐ、ＡＩＳ−Ｖ、ＡＩＳ−ＤＳｎ、或いはＰＤＩ−Ｐ制御フレームを、アドレステーブルエントリの退出／フォワーディング・ポートからダウンストリームに送信するよう構築でき、且つ要求できる。
【０１２７】
ＰＴＥ  ＮＥの場合には、更に、ＭＡＣ  ＯＡＭＰクライアントは、一致する送信元及び宛先アドレスを備えたアドレステーブルエントリを見つけて、このアドレステーブルエントリによって指定されるような宛先及び送信元アドレスを用いて、ＰＴＥ  ＮＥタイプに基づいたＭＡＣ  ＯＡＭＰ  ＲＤＩ−Ｐ或いはＲＤＩ−Ｖ制御フレームを、このアドレステーブルエントリの退出／フォワーディング・ポートからアップストリームに送信するよう構築でき、且つ要求できる。このＲＤＩ−Ｐ又はＲＤＩ−Ｖをアップストリームに送るので、この制御フレームの宛先アドレスは、このアドレステーブルエントリの中の送信元アドレスであり、また、この制御フレームの送信元アドレスは、最初に上述した検索のアドレステーブルエントリの中の宛先アドレスである。
【０１２８】
効率と速度に関しては、ＯＡＭＰクライアントが係わる必要がないように、ＭＡＣ  ＯＡＭＰ制御副層は、更に同じ機能性をサポートできる。この方法は、アドレステーブルエントリによって既に保守されたようなユニキャスト宛先及び送信元アドレスを使用できるので、ユニキャスト宛先ＯＡＭＰ制御フレームに適している。パスＯＡＭＰ制御フレームがユニキャストを使用する場合は、この方法を用いてパスＯＡＭＰ制御フレームを実装できる。更に、ＯＡＭＰ制御フレームの構築中にマルチキャスト宛先ＯＡＭＰ制御フレームアドレスがユニキャスト・アドレスを交換できるように、マルチキャストＯＡＭＰ制御フレームにこの方法を使用できる。効率に関しては、ＭＡＣクライアントは、適切なマルチキャストＯＡＭＰ制御フレームを既に以前生成したことがあるポートを絶えず監視できる。
【０１２９】
ＬＴＥ及びＰＴＥ  ＮＥに関する別の方法は、進入ポートからアドレステーブルエントリへのマッピングを別々に保守することである。ビットをセットする場合にはそのアドレステーブルエントリがネットワークからの受信に対する進入ポートを備えることを示す、ビットマップテーブルとしてこのリストを保守できる。この進入ポートをこのテーブルのインデックスとして用いて、対応するビットマップを得ることができる。進入ポートが、この進入ポートに関連したアドレステーブルエントリのインデックス全てのリストを含んでいるテーブルのインデックスとして用いるように、リンクしたリストテーブルの中でこのリストを保守できる。アドレステーブルエントリを構成する場合、対応するビットをセットするか、或いはこのリストにアドレステーブルエントリ・インデックスを入れる。アドレステーブルエントリを取り除く場合、対応するビットをクリアするか、或いはこのリストからアドレステーブルエントリ・インデックスを取り除く。一旦このアドレステーブルエントリが見つかれば、前述の方法に説明される方法と同じ方法を用いて、ＯＡＭＰ制御フレームを生成する。
【０１３０】
効率に関しては、更に上述の方法の組み合わせを使用できる。加えて、進入ポートと退出ポートとの関係と、ユニキャスト又はマルチキャストＯＡＭＰ制御フレームの生成とを保守すると共に管理するために、追加の方法及び効率化を行うことができる。
【０１３１】
別の方法は、対応するフォワーディング・ポートへマルチキャストＯＡＭＰ制御フレームを転送するためにマルチキャスト・アドレステーブルエントリを使用して、ＬＴＥデバイスのＭＡＣクライアント層の中でこの情報を保守することである。学習過程又はアドレステーブルエントリ構成の間にアドレステーブルエントリを追加する場合は常に、マルチキャストＯＡＭＰ制御アドレステーブルエントリをセット・アップできる。これは、更に参照カウントテーブルと共に機能する。対応する退出ポート・フィールドの参照カウントがゼロである場合、マルチキャスト・エントリを取り除く。
【０１３２】
ＭＡＣ  ＯＡＭＰループバック制御フレームを用いて、近端ＮＥが遠端ＮＥに様々なループバックを活性化／非活性化するよう要求できる。ループバック・オペレーションの１つの実装は、ＮＥが、活性化ループバック要求を備えたＯＡＭＰループバック制御フレームを受信する場合、このＮＥが、ＭＡＣ  ＯＡＭＰ制御副層においてＯＡＭＰ制御フレームを処理すると共に、適切なループバックを活性化することである。同様に、このＮＥは、更にループバック非活性化要求を扱うことができる。別の実装では、ＭＡＣ  ＯＡＭＰ制御副層は、次にループバック活性化／非活性化要求を扱うことができる、ＭＡＣクライアント層に通知できる。何れの実装でも、クライアント・フレーム用のループバックがアクティブである間、イーサネット（登録商標）ＮＥハードウェアは、受信ＭＡＣ制御フレームをサポートできる。これらＭＡＣ制御フレームを典型的には受信ＮＥで終端するか、或いは、特定のＭＡＣ制御フレーム処理要件に基づいてパススルーすることとなる。ＭＡＣ  ＯＡＭＰループバック制御フレームは、典型的には受信ＮＥで終端することとなる。ハードウェアにおけるループバックの場所は、実装特定であり、好適にはＭＡＣ副層の中にありえる。更に、このループバックを物理層で実装できる。更に、送信されるフレームをループバックして物理媒体に送信するように、ハードウェアに内部ループバックを実装できる。受信されるフレームをループバックしてＭＡＣクライアント層によって受信するように、ハードウェアに設備ループバックを実装できる。
【０１３３】
遠端ＮＥは、ＭＡＣ  ＯＡＭＰ性能監視（ＰＭ）制御フレームを用いて、近端ＮＥ遠端ライン及びパスＰＭパラメータに伝えることができる。この遠端ＮＥは、適切なＰＭパラメータを用いてＯＡＭＰ  ＰＭ制御フレームを構築でき、且つこのＯＡＭＰ  ＰＭ制御フレームを送信できる。このＯＡＭＰ  ＰＭ制御フレームを受信すると同時に、近端ＮＥは、そのＰＭ統計及びカウンタを処理でき、且つ更新できる。更に、この近端ＮＥは、必要時に適切な管理／運用の警報及び管理情報データ・ベースを生成できる。
【０１３４】
この方法を用いて、ＳＤＨ／ＳＯＮＥＴ  ＯＡＭＰ規格及び機能性に包含されない他のイーサネット（登録商標）機能性に対するＭＡＣ  ＯＡＭＰ制御フレームを定義できる。
【０１３５】
ＭＡＣ  ＯＡＭＰ制御フレームを受信する場合、上位層ＭＡＣクライアントＮＥ管理ソフトウェアが、その後、ネットワーク管理システム（ＮＭＳ）又は運用サポートシステム（ＯＳＳ）に警報する管理／運用の警報を発生できるように、この管理ソフトウェアにそのイベントについて通知できる。
【０１３６】
全てのＭＡＣは、全ての層に対するサポートを含むことができ、また、構成に基づいて、どの層（ＳＴＥ、ＬＴＥ、ＰＴＥなど）においても終端装置でありえる。こうした構成ではＭＡＣハードウェア／チップが１つだけあり、任意の環境においてそれを使用できる。更に、ＭＡＣは、終端層に基づいた特定の層に対するサポートを備えることができる。これは、専門のＭＡＣハードウェア／チップのコストを削減する。全ての機能性は、オプションであり、また、ＭＡＣは、要件、複雑さ、及びコストに基づいて、部分的な機能性のみサポートできる。
【０１３７】
本発明は、幾つかの利点を保持する。それは、イーサネット（登録商標）構成を変更しないので、後方へ互換性を持つと共に、イーサネット（登録商標）規格に従う。それがオプションのイーサネット（登録商標）ＭＡＣ制御副層を修正するので、ベンダーは、本発明の機能性を実装するべきかどうかを選択できる。本発明の簡潔な設計及び構成によって、ＭＡＣハードウェアにおける実装が比較的容易になる。本発明の方法は、イベント駆動であり、このため、要求時のみＯＡＭＰフレームを送る。従って、本発明の装置は、少ないオーバーヘッドを維持し、帯域幅を殆ど消費しない。それが標準のＳＤＨ／ＳＯＮＥＴ  ＯＡＭＰ定義及びプロセスを再使用するので、本発明の実装は、ＳＤＨ／ＳＯＮＥＴ規格プロトコルに完全に準拠している。それが、予め構成されたフレームをサポートし、且つ、先頭キュー・ブロックではないので、本発明を実装して、ＯＡＭＰ要求に対する速いレスポンスをサポートできる。加えて、本発明は、標準のＳＤＨ／ＳＯＮＥＴ  ＯＡＭＰ定義及びプロセスを利用する。従って、それは、リニア型、メッシュ型、及びリング型接続、ウェーブ、物理、セクション、物理ライン、論理ライン、及びパスレベルＯＡＭＰオペレーションに対するＯＡＭＰオペレーションをサポートできる。本発明は、更に仮想トリビュタリ及びＤＳｎレベルＯＡＭＰオペレーションをサポートできる。
【０１３８】
本発明の多数の修正及び代替実施形態は、上述の説明を考慮して当業者に明白になる。従って、本説明は、単に例示的なものとして解釈されるべきであり、また、本発明を実行するための最良の形態を当業者に教示するためのものである。本発明の精神から逸脱することなく、構造の詳細を概ね変更してもよく、添付した特許請求の範囲内での全ての修正の独占使用権を所有する。本発明は、添付した特許請求の範囲及び法律の適用可能な規則によって要求される程度までしか限定されないことを意図する。
【図面の簡単な説明】
【０１３９】
上述の特徴及び利点と、本発明の他の特徴及び様態とは、以下の説明及び添付した図面に関して一層よく理解されるはずである。
【図１】（Ａ）従来のＳＯＮＥＴアーキテクチャ層の図式である。  （Ｂ）従来のＳＤＨアーキテクチャ層の図式である。
【図２】（Ａ）従来のＳＯＮＥＴフレーム構造の図式である。  （Ｂ）従来のＳＤＨフレーム構造の図式である。
【図３】本発明の一実施形態によるイーサネット（登録商標）・アーキテクチャ層の図式である。
【図４】本発明の一実施形態によるイーサネット（登録商標）ＭＡＣ  ＯＡＭＰ制御アーキテクチャの図式である。
【図５】本発明の一様態によるイーサネット（登録商標）ＭＡＣ  ＯＡＭＰ制御副層内部アーキテクチャの図式である。
【図６】（Ａ）本発明の一様態によるイーサネット（登録商標）ＭＡＣ  ＯＡＭＰ制御フレームフォーマットの図式である。  （Ｂ）本発明の一様態によるイーサネット（登録商標）ＭＡＣ  ＯＡＭＰ制御フレームフォーマットの図式である。  （Ｃ）本発明の一様態によるイーサネット（登録商標）ＭＡＣ  ＯＡＭＰ制御フレームフォーマットの図式である。  （Ｄ）本発明の一様態によるイーサネット（登録商標）ＭＡＣ  ＯＡＭＰ制御フレームフォーマットの図式である。  （Ｅ）本発明の一様態によるイーサネット（登録商標）ＭＡＣ  ＯＡＭＰ制御フレームフォーマットの図式である。  （Ｆ）本発明の一様態によるイーサネット（登録商標）ＭＡＣ  ＯＡＭＰ制御フレームフォーマットの図式である。  （Ｇ）本発明の一様態によるイーサネット（登録商標）ＭＡＣ  ＯＡＭＰ制御フレームフォーマットの図式である。  （Ｈ）本発明の一様態によるイーサネット（登録商標）ＭＡＣ  ＯＡＭＰ制御フレームフォーマットの図式である。  （Ｉ）本発明の一様態によるイーサネット（登録商標）ＭＡＣ  ＯＡＭＰ制御フレームフォーマットの図式である。  （Ｊ）本発明の一様態によるイーサネット（登録商標）ＭＡＣ  ＯＡＭＰ制御フレームフォーマットの図式である。
【図７】本発明の一実施形態によるイーサネット（登録商標）ＭＡＣ  ＯＡＭＰオペレーションの図式である。
【図１】
2007527149.tif 000002
【図２】
2007527149.tif 000003
【図３】
2007527149.tif 000004
【図４】
2007527149.tif 000005
【図５】
2007527149.tif 000006
【図６Ａ】
2007527149.tif 000007
【図６Ｂ】
2007527149.tif 000008
【図６Ｃ】
2007527149.tif 000009
【図６Ｄ】
2007527149.tif 000010
【図６Ｅ】
2007527149.tif 000011
【図６Ｆ】
2007527149.tif 000012
【図６Ｇ】
2007527149.tif 000013
【図６Ｈ】
2007527149.tif 000014
【図６Ｉ】
2007527149.tif 000015
【図６Ｊ】
2007527149.tif 000016
【図７】
2007527149.tif 000017